(57)【要約】【課題】ＦＦＲのように、セル境界近傍に滞在する移動体端末に割り当てる周波数を、隣接するセル間で固定的に分割すると、移動体端末の分布よっては当該周波数を効率的に使用することができない場合がある。【解決手段】本発明による基地局装置、コアネットワーク装置、干渉制御方法では、基地局装置が少なくとも第１のセルと第１のセルに隣接する第２のセルとを含む複数のセルを構成している場合に、セル毎に、セルのエッジ近傍に滞在する第１の移動体端末群の情報および基地局端近傍に滞在する第２の移動体端末郡の情報を管理し、第１の移動体端末群の情報および第２の移動体端末郡の情報に基づいて、第１の移動体端末群および第２の移動体端末郡に割り当てる優先チャネル量を制御する。【選択図】図６
2015026970.tif 000002
【特許請求の範囲】
【請求項１】
少なくとも第１のセルと前記第１のセルに隣接する第２のセルとを含む複数のセルを構成する基地局装置であって、
前記セル毎に、セルのエッジ近傍に滞在する第１の移動体端末群の情報および基地局端近傍に滞在する第２の移動体端末郡の情報を管理する移動体端末情報管理部と、
前記第１の移動体端末群の情報および前記第２の移動体端末郡の情報に基づいて、前記第１の移動体端末群および前記第２の移動体端末郡に割り当てる優先チャネル量を制御する優先チャネル量制御部と、
を有することを特徴とする基地局装置。
【請求項２】
請求項１に記載の基地局装置であって、
前記優先チャネル量制御部は、前記第１の移動体端末群および前記第２の移動体端末郡の端末数またはトラフィック量またはバッファ量に基づいて、前記優先チャネル量を制御することを特徴とする基地局装置。
【請求項３】
請求項２に記載の基地局装置であって、
前記優先チャネル量制御部は、複数の前記セル毎の前記端末数または前記トラフィック量または前記バッファ量の比に応じて、前記セル毎の前記優先チャネル量を決定することを特徴とする基地局装置。
【請求項４】
請求項１に記載の基地局装置であって、
前記移動体端末情報管理部は、前記セル毎に、前記第１および第２の移動体端末群を含む、前記セル内に滞在する全移動端末の情報を管理し、
前記優先チャネル量制御部は、前記全移動端末の情報に基づいて、前記第１の移動体端末群および前記第２の移動体端末郡に割り当てる優先チャネル量を制御することを特徴とする基地局装置。
【請求項５】
請求項１から請求項４のいずれかに記載の基地局装置であって、
前記第１のセルと前記第２のセルは、第１のエッジにおいて隣接しており、
前記第１のセルの前記第１のエッジ近傍に滞在する前記第１の移動体端末群の情報および前記第２のセルの前記第１のエッジ近傍に滞在する前記第１の移動体端末群の情報に基づいて、前記第１のセルおよび前記第２のセルとの間で前記優先チャネルを重複して使用する重複チャネル量を決定する重複チャネル決定部を有することを特徴とする基地局装置。
【請求項６】
請求項５に記載の基地局装置であって、
前記重複チャネル決定部は、前記第１のセルおよび前記第２のセルの前記第１のエッジ近傍に滞在する前記第１の移動体端末群の端末数またはトラフィック量またはバッファ量に基づいて、前記重複チャネル量を決定することを特徴とする基地局装置。
【請求項７】
請求項６に記載の基地局装置であって、
前記重複チャネル決定部は、前記第１のセルおよび前記第２のセルの前記第１のエッジ近傍に滞在する前記第１の移動体端末群の端末数またはトラフィック量またはバッファ量の比に応じて、前記重複チャネル量を決定することを特徴とする基地局装置。
【請求項８】
請求項７に記載の基地局装置であって、
前記第１のセルの前記第１のエッジ近傍に滞在する前記第１の移動体端末群の端末数またはトラフィック量またはバッファ量が、前記第２のセルの前記第１のエッジ近傍に滞在する前記第１の移動体端末群の端末数またはトラフィック量またはバッファ量よりも大きい場合、
前記重複チャネル決定部は、前記第２のセルの優先チャネルの一部を前記第１のセルが重複して使用するように制御することを特徴とする基地局装置。
【請求項９】
請求項８に記載の基地局装置であって、
前記移動体端末に周波数を割り当てるスケジューリング部を有し、
前記第１のセルと第３のセルは、第２のエッジにおいて隣接しており、
前記スケジューリング部は、前記記第１のセルが重複して使用する前記第２のセルの優先チャネルの一部の周波数を、前記第１のセルの前記第２のエッジ近傍に滞在する前記第１の移動体端末群に割り当てることを特徴とする基地局装置。
【請求項１０】
請求項８または請求項９に記載の基地局装置であって、
前記第２のセルの優先チャネルの一部を前記第１のセルが重複して使用するように制御した結果、前記第１のセルおよび前記第２のセルの前記第１のエッジ近傍に滞在する前記第１の移動体端末群のスループットが向上した場合、前記第１のセルが重複して使用する前記第２のセルの優先チャネル量を増加させることを特徴とする基地局装置。
【請求項１１】
少なくとも第１のセルと前記第１のセルに隣接する第２のセルとを含む複数のセルを構成する基地局装置にネットワークを介して接続されるコアネットワーク装置であって、
前記セル毎に、セルのエッジ近傍に滞在する第１の移動体端末群の情報および基地局端近傍に滞在する第２の移動体端末郡の情報を管理する移動体端末情報管理部と、
前記第１の移動体端末群の情報および前記第２の移動体端末郡の情報に基づいて、前記第１の移動体端末群および前記第２の移動体端末郡に割り当てる優先チャネル量を制御する優先チャネル量制御部と、
を有することを特徴とするコアネットワーク装置。
【請求項１２】
請求項１１に記載のコアネットワーク装置であって、
前記優先チャネル量制御部は、前記第１の移動体端末群および前記第２の移動体端末郡の端末数またはトラフィック量またはバッファ量に基づいて、前記優先チャネル量を制御することを特徴とするコアネットワーク装置。
【請求項１３】
請求項１２に記載のコアネットワーク装置であって、
前記優先チャネル量制御部は、複数の前記セル毎の前記端末数または前記トラフィック量または前記バッファ量の比に応じて、前記セル毎の前記優先チャネル量を決定することを特徴とするコアネットワーク装置。
【請求項１４】
請求項１１から請求項１３のいずれかに記載のコアネットワーク装置であって、
前記第１のセルと前記第２のセルは、第１のエッジにおいて隣接しており、
前記第１のセルの前記第１のエッジ近傍に滞在する前記第１の移動体端末群の情報および前記第２のセルの前記第１のエッジ近傍に滞在する前記第１の移動体端末群の情報に基づいて、前記第１のセルおよび前記第２のセルとの間で前記優先チャネルを重複して使用する重複チャネル量を決定する重複チャネル決定部を有することを特徴とするコアネットワーク装置。
【請求項１５】
請求項１４に記載のコアネットワーク装置であって、
前記重複チャネル決定部は、前記第１のセルおよび前記第２のセルの前記第１のエッジ近傍に滞在する前記第１の移動体端末群の端末数またはトラフィック量またはバッファ量に基づいて、前記重複チャネル量を決定することを特徴とするコアネットワーク装置。
【請求項１６】
少なくとも第１のセルと前記第１のセルに隣接する第２のセルとを含む複数のセルを構成する基地局装置が配備される無線通信システムにおけるセル間干渉制御方法であって、
前記セル毎に、セルのエッジ近傍に滞在する第１の移動体端末群の情報および基地局端近傍に滞在する第２の移動体端末郡の情報を管理する第１のステップと、
前記第１の移動体端末群の情報および前記第２の移動体端末郡の情報に基づいて、前記第１の移動体端末群および前記第２の移動体端末郡に割り当てる優先チャネル量を制御する第２のステップ、
を有することを特徴とするセル間干渉制御方法。
【請求項１７】
請求項１６に記載のセル間干渉制御方法であって、
前記第２のステップでは、前記第１の移動体端末群および前記第２の移動体端末郡の端末数またはトラフィック量またはバッファ量に基づいて、前記優先チャネル量を制御することを特徴とするセル間干渉制御方法。
【請求項１８】
請求項１７に記載のセル間干渉制御方法であって、
前記第２のステップでは、複数の前記セル毎の前記端末数または前記トラフィック量または前記バッファ量の比に応じて、前記セル毎の前記優先チャネル量を決定することを特徴とするセル間干渉制御方法。
【請求項１９】
請求項１６から請求項１８のいずれかに記載のセル間干渉制御方法であって、
前記第１のセルと前記第２のセルは、第１のエッジにおいて隣接しており、
前記第１のセルの前記第１のエッジ近傍に滞在する前記第１の移動体端末群の情報および前記第２のセルの前記第１のエッジ近傍に滞在する前記第１の移動体端末群の情報に基づいて、前記第１のセルおよび前記第２のセルとの間で前記優先チャネルを重複して使用する重複チャネル量を決定する第３のステップを有することを特徴とするセル間干渉制御方法。
【請求項２０】
請求項１９に記載のセル間干渉制御方法であって、
前記第３のステップでは、前記第１のセルおよび前記第２のセルの前記第１のエッジ近傍に滞在する前記第１の移動体端末群の端末数またはトラフィック量またはバッファ量に基づいて、前記重複チャネル量を決定することを特徴とするセル間干渉制御方法。
【発明の詳細な説明】
【技術分野】
【０００１】
本発明は、無線通信システムに関するもので、特に無線基地局のセル間干渉低減を実現する基地局装置、コアネットワーク装置および無線通信システムに関する。
【背景技術】
【０００２】
携帯電話などのセルラ無線通信システムは、無線基地局から放射される電波が到達し、移動体端末が通信可能な範囲をセルとして構成し、複数のセルにより、通信可能なエリアが構築されている。セルラ無線通信システムが構成する複数のセルにおいて、基地局のアンテナから放射される周波数が同一であるようなネットワークにおいて、移動体端末が通信をしているセルに、隣接するセルとの間の境界近傍では、当該移動体端末が隣接セルから受ける干渉に起因して、当該移動体端末の通信品質が劣化する可能性がある。
【０００３】
隣接セルからの干渉を低減するため、例えば３ＧＰＰ(３ｒｄ  Ｇｅｎｅｒａｔｉｏｎ  Ｐａｒｔｎｅｒｓｈｉｐ  Ｐｒｏｊｅｃｔ)では、移動体端末が通信をしているセルと、通信をしているセルに隣接するセルとの境界近傍に滞在する移動体端末に対する、隣接セルからの干渉を低減する技術として、部分的周波数繰返し（ＦＦＲ：Ｆｒａｃｔｉｏｎａｌ  Ｆｒｅｑｕｅｎｃｙ  Ｒｅｕｓｅ）が開示されている。ＦＦＲでは、セル間のセル境界近傍において、隣接するセル間で、夫々のセル境界近傍に滞在する移動体端末に割り当てる周波数を各セルに固定的に分割し、隣接セル間でセル境界近傍に滞在する移動体端末に、当該周波数を優先的に割り当てる。一方、セル中央部に滞在する移動体端末に対しては、隣接セル間でセル境界近傍に滞在する移動体端末に割り当てる周波数以外の周波数を優先的に割り当てる。隣接セル間で異なる周波数を各セルのセル境界近傍に滞在する移動体端末に割り当てる周波数とし、セル境界近傍に滞在する移動体端末に割り当てる周波数の送信電力を他の周波数に比較して大きく設定することで、セル境界近傍に滞在する移動体端末の信号対干渉および雑音電力比（ＳＩＮＲ：Ｓｉｇｎａｌ  ｔｏ  Ｉｎｔｅｒｆｅｒｅｎｃｅ  ａｎｄ  Ｎｏｉｓｅ  ｐｏｗｅｒ  Ｒａｔｉｏ）を向上することができ、通信をしているセルと通信をしているセルに隣接するセルとの境界近傍に滞在する移動体端末に対する隣接セルからの干渉を低減することができる。
【０００４】
また、前記ＦＦＲに加えて、例えば特許文献１では、各セル境界で使用するサブチャネル集合をセル境界のトラフィックの変動に応じて動的にセル境界で使用するサブチャネル集合を変更することが可能なセル間干渉回避通信方法が開示されている。
【先行技術文献】
【特許文献】
【０００５】
【特許文献１】特開２０１２−４８３６
【発明の概要】
【発明が解決しようとする課題】
【０００６】
セルラ無線通信システムにおいて、移動体端末の分布は時間的に変化することが予測される。従って、前記ＦＦＲのように、セル境界近傍に滞在する移動体端末に割り当てる周波数を、隣接するセル間で固定的に分割すると、移動体端末の分布よっては当該周波数を効率的に使用することができない場合がある。例えば、隣接するセル間において、あるセルとあるセルに隣接するセルの、セル境界近傍に滞在する移動体端末の数に偏りがあり、かつあるセルと、あるセルに隣接するセルのセル境界近傍に滞在する移動体端末に対して割り当てる周波数が両セル間で同一の場合、当該移動体端末が多いセルでは、当該移動体端末に対して割り当てる周波数が逼迫し、当該移動体端末が少ないセルでは当該移動体端末に対して割り当てる周波数に空きが生じてしまい、周波数の利用効率が低下する可能性がある。
【０００７】
特許文献１では、隣接するセル間で、セル境界近傍に滞在する移動体端末のトラフィックの偏りを考慮して、各セルの当該移動体端末に対して割り当てる周波数量を制御する。
【０００８】
しかしながら、あるセルに対して、隣接するセルが複数存在し、あるセルとあるセルと隣接する第１のセルとのセル境界近傍と、あるセルと隣接する第２のセルとのセル境界近傍で、移動体端末の分布に偏りが存在し、あるセルと隣接する第２のセルとのセル境界近傍に滞在する移動体端末が少なく、あるセルと隣接する第２のセルとのセル境界近傍では干渉が無い、あるいは干渉が少ない状況で、あるセルと隣接する第２のセルに接続している移動体端末に対して割り当て可能な周波数が制限されてしまうことにより、セル境界のスループット向上効果が限定されてしまう、という課題が生じる。
【課題を解決するための手段】
【０００９】
上記の課題を解決するために、本発明による基地局装置、コアネットワーク装置、干渉制御方法では、基地局装置が少なくとも第１のセルと第１のセルに隣接する第２のセルとを含む複数のセルを構成している場合に、セル毎に、セルのエッジ近傍に滞在する第１の移動体端末群の情報および基地局端近傍に滞在する第２の移動体端末郡の情報を管理し、第１の移動体端末群の情報および第２の移動体端末郡の情報に基づいて、第１の移動体端末群および第２の移動体端末郡に割り当てる優先チャネル量を制御する。
【発明の効果】
【００１０】
本発明によれば、セルエッジスループットを向上させることができる。
【図面の簡単な説明】
【００１１】
【図１】Ｅ−ＵＴＲＡＮ無線通信システムの構成例を示す図である。
【図２】基地局の装置構成例を示す図である。
【図３】移動体端末の装置構成例を示す図である。
【図４】セルに割り当てる優先チャネル量及び重複チャネル量を決定する第４の方法を示す図である。
【図５】第１の干渉制御機能が制御するセルエリアの例を示す図である。
【図６】セルに割り当てる優先チャネル量及び重複チャネル量を決定する第１の方法を示す図である。
【図７】移動体端末の滞在位置判定処理を示す図である。
【図８】第１の方法で作成した移動体端末情報管理テーブルの例を示す図である。
【図９】第１の方法を用いた優先チャネル量決定テーブルの例を示す図である。
【図１０】セルの優先チャネル位置決定例を示す図である。
【図１１】第１の方法を用いた重複チャネル量決定テーブルの例を示す図である。
【図１２】重複チャネル配分例を示す図である。
【図１３】第２の方法を用いた優先チャネル量決定テーブルの例を示す図である。
【図１４】第３の方法を用いた優先チャネル量決定テーブルの例を示す図である。
【図１５】第２の方法で作成した移動体端末情報管理テーブルの例を示す図である。
【図１６】第３の方法で作成した移動体端末情報管理テーブルの例を示す図である。
【図１７】第１の方法を用いたセルの重複チャネル決定処理を示す図である。
【図１８】第２の方法を用いたセルの重複チャネル決定処理を示す図である。
【図１９】第３の方法を用いたセルの重複チャネル決定処理を示す図である。
【図２０】第２の方法を用いた重複チャネル量決定テーブルの例を示す図である。
【図２１】第３の方法を用いた重複チャネル量決定テーブルの例を示す図である。
【図２２】第１の方法を用いた重複チャネル量決定例を示す図である。
【図２３】第２の方法を用いた重複チャネル量決定例を示す図である。
【図２４】第３の方法を用いた重複チャネル量決定例を示す図である。
【図２５】コアネットワークの装置構成例を示す図である。
【図２６】第４の方法を用いた優先チャネル量決定テーブルの例を示す図である。
【図２７】第５の方法を用いた優先チャネル量決定テーブルの例を示す図である。
【図２８】第６の方法を用いた優先チャネル量決定テーブルの例を示す図である。
【図２９】スケジューリング処理を示す図である。
【図３０】重複チャネル調整処理を示す図である。
【図３１】セルに割り当てる優先チャネル量及び重複チャネル量を決定する第２の方法を示す図である。
【図３２】セルに割り当てる優先チャネル量及び重複チャネル量を決定する第３の方法を示す図である。
【図３３】第２の干渉制御機能が制御するセルエリアの例を示す図である。
【図３４】第４の方法を用いた重複チャネル量決定テーブルの例を示す図である。
【図３５】第５の方法を用いた重複チャネル量決定テーブルの例を示す図である。
【図３６】第６の方法を用いた重複チャネル量決定テーブルの例を示す図である。
【図３７】第４の方法を用いた重複チャネル量決定例を示す図である。
【発明を実施するための形態】
【００１２】
本発明の形態については、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を例にして、図を用いて説明する。Ｅ−ＵＴＲＡＮは３ＧＰＰで標準仕様が策定されている、セルラ無線通信システムである。
【００１３】
以下で、基地局から送信される無線信号が受信可能なエリアをセルと定義し、移動体端末はいずれか一つのセルに所属してデータ通信を行うものとする。基地局は複数のセルに対応する送受信機を具備する。また、基地局が構成する複数のセルにおいて、移動体端末が接続していないセルからの電波を受信可能であるようなとき、当該セルを隣接セルと呼ぶ。以降の説明では、各基地局は、夫々３つのセルを傘下に持つものとするが、基地局が有するセルの数に制限はない。
【００１４】
図１はＥ−ＵＴＲＡＮの構成例を示している。Ｅ−ＵＴＲＡＮは、図１に示す様に複数の移動体端末と、複数の基地局装置及び、基地局装置と接続されるコアネットワーク装置から構成される。
【００１５】
図１のシステムにおいて、セル１１１〜１１３は夫々基地局１０１と無線接続により、接続する移動体端末１３１〜１３３が通信可能な範囲を示している。セル１１４〜１１６は夫々基地局１０２と無線接続により接続する移動体端末１３４〜１３６が接続可能な範囲を示しており、セル１１７〜１１９は夫々基地局１０３と無線接続により接続する移動体端末１３７〜１３９が接続可能な範囲を示している。
【００１６】
図１の基地局１０１〜１０３は、ネットワーク１２１を通じ、有線回線によってコアネットワーク装置１２２に接続される。図１の基地局１０１において、移動体端末１３１は、セル１１１に、移動体端末１３２はセル１１２に、移動体端末１３３はセル１１３に接続することで通信が可能となる。基地局１０２においては、移動体端末１３４はセル１１４に、移動体端末１３５はセル１１５に、移動体端末１３６はセル１１６に接続することで通信が可能となる。基地局１０３における、移動体端末１３７はセル１１７に、移動体端末１３８はセル１１８に、移動体端末１３９はセル１１９に接続することで通信が可能となる。
【００１７】
図２は、本発明を実施するためのＥ−ＵＴＲＡＮ無線通信システムの構成要素である、基地局装置の構成例を示している。図１では、３つのセルを持つ基地局装置の構成を示しているが、基地局が構成するセルの数は必ずしも３つである必要はない。図２において、基地局装置は、メモリ２０１、ＣＰＵ／ＤＳＰ２０２、移動体端末と無線接続を行うための無線インタフェース２０３、誤り訂正符号化等のディジタル信号処理を行う論理回路２０４、隣接基地局やコアネットワーク装置１２２と通信を行うための有線インタフェース２０５を備えている。
【００１８】
メモリ２０１は、移動体端末情報管理テーブル２１１、優先チャネル量決定テーブル２１２、重複チャネル量決定テーブル２１３および基地局と接続している移動体端末に対する下り信号のデータをバッファリングする送信データバッファ２１４を含む。
【００１９】
ＣＰＵ／ＤＳＰ２０２は、本発明を実施するための一連の処理を実行する。ＣＰＵ／ＤＳＰ２０２は、移動体端末滞在位置判定部２２１、移動体端末情報管理テーブル作成部２２２、優先チャネル量決定テーブル作成部２２３、優先チャネル位置決定部２２４、重複チャネル決定部２２５、スケジューリング機能部２２６、重複チャネル量調整部２２７、送信電力制御部２２８、送信データ処理部２２９、および受信データ処理部２３０を含む。送信電力制御部２２８は、基地局傘下の各セルの優先チャネルおよび非優先チャネルの送信電力を制御する。ここで、優先チャネルとは、各セルが自セルのセル境界近傍に滞在する移動体端末に対して優先的に割り当てることができる周波数であり、非優先チャネルとは、セルに割り当てられた優先チャネル以外の周波数である。送信電力制御部２１１は、基地局傘下の各セルに割り当てた、優先チャネル、および非優先チャネルの送信電力を制御するものである。送信データ処理部２２９は、移動体端末へ送信するデータを処理する。受信データ処理部２３０は移動体端末からの受信されるデータを処理する。
【００２０】
移動体端末滞在位置判定部２２１は、移動体端末が通信品質測定部３１１で測定し、無線インタフェース３０３で基地局に対して報告される、接続しているセルと、接続しているセルの隣接セルの通信品質情報をもとに、移動体端末の滞在位置を判定する。
【００２１】
移動体端末情報管理テーブル作成部２２２は、移動体端末滞在位置判定部２２１で判定した、各セルの移動体端末の位置情報を管理する移動体端末情報管理テーブル２１１をメモリ２０１に作成する。
【００２２】
優先チャネル量決定テーブル作成部２２３は、移動体端末情報管理テーブル２１１に格納されている情報をもとに、各セルの優先チャネル量を計算し、各セルの優先チャネル量情報が格納されている、優先チャネル量決定テーブル２１２をメモリ２０１に作成する。
【００２３】
優先チャネル位置決定部２２４は、移動体端末情報管理テーブル２１１の情報をもとに、干渉制御機能が制御する各セルの優先チャネルの周波数を決定する処理をする。
【００２４】
重複チャネル決定部２２５は、重複チャネル量決定テーブル２１３の情報をもとに、各セルの重複チャネルを決定する。重複チャネルとは、あるセルに隣接しているセルが、優先チャネルとして保有している周波数帯域を、あるセルのセル境界近傍に滞在している移動体端末に対して、重複して割り当てることのできる周波数である。重複チャネル量決定テーブル２１３には各セルの隣接セルとの重複チャネル量を決定するための情報が格納されており、あらかじめメモリ２０１に格納されているものとする。また、スケジューリング機能部２２６は、移動体端末に対する周波数の割り当てをおこなう。重複チャネル量調整部２２７は、重複チャネル決定部で決定した各セルの重複チャネル量の値の妥当性を評価し、重複チャネル量の最適化を行う機能を有する。
【００２５】
なお、本発明を実施するための干渉制御機能は、Ｅ−ＵＴＲＡＮ無線通信システムにおける、基地局装置内にあっても良く、またコアネットワーク装置内にあってもよい。干渉制御機能が、基地局装置内にある場合、基地局装置は図２のような構成をとる。また、本発明を実施するための干渉制御機能が、コアネットワーク装置内にある場合、移動体端末情報管理テーブル２１１、優先チャネル量決定テーブル２１２、重複チャネル量決定テーブル２１３、移動体端末滞在位置判定部２２１、移動体端末情報管理テーブル作成部２２２、優先チャネル量決定テーブル作成部２２３、優先チャネル位置決定部２２４、重複チャネル決定部２２５、重複チャネル調整部２２７は、コアネットワーク装置内に実装される。干渉制御機能が、コアネットワーク装置内にある場合、コアネットワーク装置は図２５のような構成をとる。
【００２６】
図３は本発明を実施するためのＥ−ＵＴＲＡＮ無線通信システムの構成要素である移動体端末装置の構成例を示しており、図１に示している移動体通信端末の一例である。図３において、移動体端末装置は、メモリ３０１、ＣＰＵ／ＤＳＰ３０２、基地局と無線接続を行うための無線インタフェース３０３、および誤り訂正符号化等のディジタル信号処理を行う論理回路３０４を備えている。
【００２７】
ＣＰＵ／ＤＳＰ３０２は、通信品質測定部３１１、送信データ処理部３１２および受信データ処理部３１３を含む。通信品質測定部３１１は、移動体端末が接続しているセルおよび接続しているセルと隣接するセルの通信品質情報を測定する。送信データ処理部３１２は、基地局へ送信するデータを処理する。受信データ処理部３１３は、基地局から受信されるデータを処理する。
【００２８】
図５は、Ｅ−ＵＴＲＡＮにおけるひとつの基地局が構成するセル群と、セルに接続された移動体端末群の例である。また、図５は、本発明を実施するための干渉制御機能が制御する第１のセルエリアの例である。
【００２９】
基地局５０１は、セルＡ５１１、セルＢ５１２、セルＣ５１３の３つのセルを構成する、基地局装置であるとする。ただし、基地局が構成するセルの数は必ずしも３つである必要はない。基地局５０１はネットワーク５７１を介して、コアネットワーク５７２と有線接続されているものとする。セルＡ５１１とセルＢ５１２は、エッジＸ５４１を境に隣接するものとし、セルＢ５１２とセルＣ５１３はエッジＹ５４２を境に隣接するものとし、セルＣ５１３とセルＡ５１１はエッジＺ５４３を境に隣接するものとする。また、セルＡ５１１、セルＢ５１２、セルＣ５１３は、５つの異なる領域から構成されるものとする。セルＡ５１１は、セルＡの基地局端近傍５２１、セルＡのエッジＸ近傍５３１、セルＡのエッジＺ近傍５３６、セルＡ中央部５６１、セルＡの基地局近傍５７３から構成される。セルＡ５１１に接続している移動体端末５５１および移動体端末５５２は、前記５領域のうち、いずれかの領域に滞在するものとする。セルＢ５１２は、セルＢの基地局端近傍５２２と、セルＢのエッジＸ近傍５３２と、セルＢのエッジＹ近傍５３３と、セルＢ中央部５６２と、セルＢの基地局近傍５７４から構成される。セルＢ５１２に接続している移動体端末５５３および移動体端末５５４は、前記５領域のうち、いずれかの領域に滞在するものとする。セルＣ５１３は、セルＣの基地局端近傍５２３と、セルＣのエッジＹ近傍５３４と、セルＣのエッジＺ近傍５３５と、セルＣ中央部５６３と、セルＣの基地局近傍５７５から構成される。セルＣ５１３に接続している移動体端末５５５および移動体端末５５６は、前記５領域のうち、いずれかの領域に滞在するものとする。また、発明を実施するための干渉制御機能は、基地局５０１内部に実装されても、コアネットワーク装置５７２に実装されても良い。
【００３０】
図５の通信システムにおいて、基地局５０１あるいはコアネットワーク装置５７２は、傘下のセルであるセルＡ５１１、セルＢ５１２、セルＣ５１３に接続している移動体端末５５１−５５６が基地局５０１に対して報告する移動体端末５５１−５５６の通信品質情報を用いて各セルの優先チャネルおよび重複チャネルを制御する。
【００３１】
図３３は、本発明を実施するための干渉制御機能が制御する第２のセルエリアの例である。図３３において、基地局３３０１−３３０３は夫々１つのセルを構成している。基地局３３０１は、図５におけるセルＡ５１１を構成しており、基地局３３０２は図５におけるセルＢ５１２を構成しており、基地局３３０３は図５におけるセルＣ５１３を構成しているものとする。また、基地局３３０１−３３０３は夫々有線インタフェース２０５を介して、基地局同士が接続されているものとする。また、基地局３３０１−３３０３は夫々、ネットワーク３３１１を介してコアネットワーク装置３３１２と接続されているものとする。干渉制御機能が制御する第２のセルエリアの例において、各セルは図５と同じく、５つの異なる領域を構成している。また、本発明を実施するための干渉制御機能は、基地局３３０１−３３０３のいずれに実装されてもよく、また、コアネットワーク装置３３１２に実装されても良い。
【００３２】
図６のシーケンス図を用いて、基地局が自身と通信している移動体端末から報告される通信品質情報に応じて、優先チャネルおよび重複チャネルを制御する第１の方法について説明する。なお、上記第１の方法では、本発明を実施するための干渉制御機能は基地局装置内にあるものとする。
【００３３】
図６において、基地局６０２は、図５の通信システムの例と同じく、セルＡ５１１、セルＢ５１２、およびセルＣ５１３を傘下に持ち、セルＡ５１１とセルＢ５１２はエッジＸ５４１を境に隣接し、セルＢ５１２とセルＣ５１３はエッジＹ５４２を境に隣接し、セルＣ５１３とセルＡ５１１はエッジＺ５４３を境に隣接しているものとする。また、基地局６０２傘下の各セルの周波数帯域は同一であるものとする。
【００３４】
まず、シーケンス６１１において、基地局６０２と移動体端末６０１が通信を開始する。その後、シーケンス６１２において、基地局６０２は、基地局６０２傘下のセルに接続している全移動体端末に対して通信品質報告要求をする。シーケンス６１３において、移動体端末６０１は、通信品質測定部３１１を用いて、基地局６０２傘下の各セルの通信品質を測定し、基地局６０２に対して報告する。その後、シーケンス６１４において、基地局６０３は、移動体端末６０１が測定した基地局６０２傘下の各セルの通信品質情報をもとに、移動体端末６０１の滞在位置を、移動体端末滞在位置判定部２２１で判定する。その後、シーケンス６１５において、移動体端末情報管理テーブル作成部２２２が、シーケンス６１４で識別された移動体端末の位置情報を、移動体端末情報管理テーブル２１１に格納する。その後、シーケンス６１６において、基地局６０２が、優先チャネル量決定テーブル作成部２２３で、移動体端末情報管理テーブル２１１を参照し、各セルの優先チャネル量を決定するための情報を、優先チャネル量決定テーブル２１２に格納する。その後、シーケンス６１７において、基地局６０２が、優先チャネル位置決定部２２４で、各セルの優先チャネルの周波数を決定する。その後、シーケンス６１８において、基地局６０２が、重複チャネル決定部２２５で、移動体端末情報管理テーブル２１１と、重複チャネル量決定テーブル２１３の情報をもとに、基地局６０２傘下の各セルの重複チャネルを決定する。その後、シーケンス６１９において、基地局６０２は、シーケンス６１６で決定した基地局６０２傘下の各セルの優先チャネル量、シーケンス６１７で決定した基地局６０２傘下の各セルの優先チャネルの周波数、およびシーケンス６１８で決定した基地局６０２傘下の各セルの重複チャネルに基づいて、基地局６０２傘下の各セルの優先チャネルと重複チャネルを設定し、移動体端末６０１に対してスケジューリングを実施する。その後、シーケンス６２０において、前記スケジューリング結果に基づいて、基地局６０２は、送信電力制御部２２８で優先チャネルおよび非優先チャネルの電力を制御し、移動体端末６０１に対して下り通信を行う。次に、シーケンス６１９で行ったスケジューリングの結果に応じて、シーケンス６２１において、基地局６０２は重複チャネル調整部２２７で、基地局６０２傘下の各セルの重複チャネルの調整を行い、重複チャネル量決定テーブル２１３に格納されている情報の更新を行う。
【００３５】
図６の各シーケンスにおける、各処理の詳細を説明する。
まず、シーケンス６１４において、基地局６０２に対して、移動体端末６０１が測定した基地局６０２傘下の各セルの通信品質が報告された場合、基地局６０２が移動体端末滞在位置判定部２２１を用いて、移動体端末６０１の滞在位置を判別する方法について、図７を用いて説明する。以下、図７の説明では、フロー７０１、フロー７０３、フロー７０５、フロー７０８、フロー７１０、夫々において所定のしきい値を用いて、移動体端末６０１の滞在位置を判定する。フロー７０１で用いるしきい値は、基地局の近傍に滞在しているか否かを判定するしきい値であり、値を大きく設定するほど、接続しているセルに内の基地局近傍の領域が広くなる。また、フロー７０３で用いるしきい値は、基地局端近傍に滞在しているか否かを判定するしきい値であり、値を大きく設定するほど、セル属しているセル内の基地局端近傍の領域が狭くなる。また、フロー７０５、７０８、フロー７１０のしきい値は、隣接セルとのエッジ近傍に滞在しているか否かを判定するしきい値であり、値を大きく設定するほど、接続しているセル内の隣接セルとのエッジ近傍の領域が広くなる。  まず、フロー７０３において、基地局６０２は、シーケンス６１３にて移動体端末６０１から報告される、移動体端末６０１が接続しているセルの通信品質が所定のしきい値以上か否かを判定する。ここで、移動体端末６０１が接続しているセルの通信品質とは、例えば、移動体端末６０１が接続しているセルから受信するパイロット信号受信電力（ＲＳＲＰ：Ｒｅｆｅｒｅｎｃｅ  Ｓｉｇｎａｌ  Ｒｅｃｉｅｖｅｄ  Ｐｏｗｅｒ）である。また、例えば、移動体端末６０１が接続しているセルから受信するＲＳＲＰの値が所定のしきい値以上であれば、基地局６０２は、移動体端末６０１が接続しているセルの通信品質が所定のしきい値以上であると判断する。
【００３６】
移動体端末６０１が接続しているセルの通信品質が、フロー７０３の所定のしきい値以上である場合（フロー７０３のＹｅｓ）、フロー７０４において、基地局６０２は、移動体端末６０１を基地局近傍に滞在すると判定する。例えば、図５におけるセルＡ５１１に接続している移動体端末５５１から基地局５０１に対して報告される、セルＡ５１１の通信品質が所定のしきい値以上である場合、基地局６０２は、移動体端末５５１がセルＡの基地局近傍５７３に滞在すると判定する。
【００３７】
移動体端末６０１が接続しているセルの通信品質が、フロー７０３の所定のしきい値以上でない場合（フロー７０３のＮｏ）、フロー７０１において、基地局６０２は、シーケンス６１３にて移動体端末６０１から報告される、移動体端末６０１が接続しているセルの通信品質と、移動体端末６０１が接続しているセルと隣接する第一もしくは第二のセルの通信品質の比較を行う。ここで、移動体端末６０１から報告される基地局６０２傘下の各セルの通信品質とは、例えば、移動体端末６０１が接続しているセル、及び接続しているセルの第一もしくは第二の隣接するセルから受信するＲＳＲＰである。前記移動体端末６０１が接続しているセルの通信品質と、接続しているセルの第一もしくは第二の隣接セルの通信品質の差が、フロー７０１の所定のしきい値以下である場合（フロー７０１のＹｅｓ）、基地局６０２は、フロー７０８において、シーケンス６１３にて移動体端末６０１から報告される、移動体端末６０１が接続しているセルの通信品質と、移動体端末６０１が接続しているセルの第一の隣接するセルの通信品質の比較を行う。
【００３８】
前記移動体端末６０１が接続しているセルの通信品質と、接続しているセルの第一の隣接セルの通信品質の差が、フロー７０８の所定のしきい値以下である場合（フロー７０８のＹｅｓ）、基地局６０２は、フロー７０２にて、移動体端末６０１が、接続しているセルの第一の隣接しているセルとのエッジ近傍に滞在していると判定する。例えば、図５において、接続しているセルがセルＡ５１１、接続セルの第一の隣接セルをセルＢ５１２とすると、当該移動体端末は、セルＡのエッジＸ近傍５３１に滞在している移動体端末５５２と判定する。一方、前記移動体端末６０１が接続しているセルの通信品質と、接続しているセルの第一の隣接セルの通信品質の差が、フロー７０８の所定のしきい値以下でない場合（フロー７０８のＮｏ）、基地局６０２は、７１０において、シーケンス６１３にて移動体端末６０１から報告される、移動体端末６０１が接続しているセルの通信品質と、移動体端末６０１が接続しているセルの第二の隣接するセルの通信品質の比較を行う。
【００３９】
前記移動体端末６０１が接続しているセルの通信品質と、接続しているセルの第二の隣接セルの通信品質の差が、フロー７１０の所定のしきい値以下である場合（フロー７１０のＹｅｓ）、基地局６０２は、フロー７０９にて、移動体端末６０１が、接続しているセルの第二の隣接しているセルとのエッジ近傍に滞在していると判定する。例えば、図５において、接続しているセルがセルＡ５１１、接続セルの第二の隣接セルをセルＣ５１３とすると、当該移動体端末は、セルＡのエッジＺ近傍５３５に滞在している移動体端末と判定する。前記移動体端末６０１が接続しているセルの通信品質と、接続しているセルの第二の隣接セルの通信品質の差が、フロー７１０の所定のしきい値以下でない場合（フロー７１０のＮｏ）、移動体端末の位置情報判定処理を終了する。
【００４０】
一方、移動体端末６０１が接続しているセルの通信品質が、接続しているセルの第一もしくは第二の隣接セルの通信品質に比較して一定フロー７０１の所定のしきい値以下でない場合（フロー７０１のＮｏ）、フロー７０５において、基地局６０２は、移動体端末６０１から報告される、移動体端末６０１が接続しているセルの通信品質がフロー７０５の所定のしきい値以下か否かを判定する。移動体端末６０１が接続しているセルの通信品質が、フロー７０５の所定のしきい値以下である場合（フロー７０５のＹｅｓ）、フロー７０６において、基地局６０２の移動体端末滞在位置判定部２２１は、移動体端末６０１を、移動体端末６０１が接続しているセルの基地局端に滞在すると判定する。例えば、図５におけるセルＡ５１１に接続している移動体端末５５１から基地局５０１に対して報告される、セルＡ５１１の通信品質が所定のしきい値以下である場合、基地局６０２の移動体端末滞在位置判定部４２１は、移動体端末５５１が、セルＡの基地局端近傍５２１に滞在していると判定する。
【００４１】
一方、移動体端末６０１が接続しているセルの通信品質が、フロー７０５の所定のしきい値以下でない場合（フロー７０５のＮｏ）、フロー７０７において、基地局６０２の移動体端末滞在位置判定部２２１は移動体端末６０１を、移動体端末６０１が接続しているセルの中央部に滞在していると判定する。例えば、図５におけるセルＡ５１１に接続している移動体端末５５１から基地局５０１に対して報告される、セルＡの通信品質が所定のしきい値以下でない場合、基地局６０２の移動体端末滞在位置判定部２２１は、移動体端末５５１が、セルＡ中央部５６１に滞在すると判定する。
【００４２】
次に、シーケンス６１５において、基地局６０２が、移動体端末情報管理テーブル作成部２２２で作成する、移動体端末情報管理テーブル２１１の例を、図８、図１５および図１６を用いて説明をする。図８は、第１の方法で作成した移動体端末情報管理テーブル２１１の例である。同図において、基地局６０２は、基地局６０２傘下のセルＡ８０１、セルＢ８０２、およびセルＣ８０３夫々の、エッジ近傍に滞在する移動体端末数８０４、基地局端に滞在する移動体端末８１１、セルの境界近傍に滞在する全移動体端末数８１２、セル中央部に滞在する移動体端末数８１３、セルに滞在する全移動体端末数８１４および基地局近傍に滞在する移動体端末数８１５を保持する。さらに、エッジ近傍に滞在する移動体端末８０４は、エッジＸ近傍に滞在する移動体端末数８０５、エッジＹ近傍に滞在する移動体端末数８０６、およびエッジＺ近傍に滞在する移動体端末数８０７に細分化して保持する。
【００４３】
シーケンス６１５において、移動体端末情報管理テーブル作成部２２２は、移動体端末情報滞在位置判定部２２１が、図７におけるフロー７０２あるいは７０９で、接続しているセルのエッジ近傍に滞在すると判定した移動体端末の数を集計し、エッジ近傍に滞在する移動体端末数８０４として保持する。また、移動体端末情報管理テーブル作成部２２２は、移動体端末情報滞在位置判定部２２１が、図７における、フロー７０６で、接続しているセルの基地局端近傍に滞在すると判定した移動体端末の数を集計し、基地局端近傍に滞在する移動体端末数８１１として保持する。また、移動体端末情報管理テーブル作成部２２２は、移動体端末情報滞在位置判定部２２１が、図７における、フロー７０９で、接続しているセルの中央部に滞在すると判定した移動体端末の数を集計し、セル中央部に滞在する移動体端末数８１３として保持する。また、移動体端末情報管理テーブル作成部２２２は、移動体端末情報滞在位置判定部２２１が、図７における、フロー７０４で、接続しているセルの基地局近傍に滞在すると判定した移動体端末の数を集計し、基地局近傍に滞在する移動体端末数８１５として保持する。
【００４４】
さらに、移動体端末情報管理テーブル作成部２２２は、各セルのエッジ近傍に滞在する移動体端末数８０４と、基地局端近傍に滞在する移動体端末数８１１の合計値を、セルの境界近傍に滞在する全移動体端末数８１２として、保持する。また、移動体端末情報管理テーブル作成部２２２は、セルの境界近傍に滞在する全移動体端末数８１２、セル中央部に滞在する移動体端末数８１３および基地局近傍に滞在する移動体端末数８１５の合計値を、セルに滞在する全移動体端末数８１４として、保持する。
【００４５】
図１５は、第２の方法で作成した移動体端末情報管理テーブル２１１の例である。同図において、基地局６０２は、基地局６０２傘下のセルＡ１５０１、セルＢ１５０２、およびセルＣ１５０３夫々の、エッジ近傍に滞在する移動体端末の合計トラフィック量１５０４、基地局端近傍に滞在する移動体端末の合計トラフィック量１５１１、セルの境界近傍に滞在する全移動体端末の合計トラフィック量１５１２、セル中央部に滞在する移動体端末の合計トラフィック量１５１３、セルに滞在する全移動体端末の合計トラフィック量１５１４および基地局近傍に滞在する移動体端末の合計トラフィック量１５１５を保持する。さらに、エッジ近傍に滞在する移動体端末の合計トラフィック量１５０４は、エッジＸ近傍に滞在する移動体端末の合計トラフィック量１５０５、エッジＹ近傍に滞在する移動体端末の合計トラフィック量１５０６、およびエッジＺ近傍に滞在する移動体端末の合計トラフィック量１５０７に細分化して保持する。
【００４６】
シーケンス６１５において、移動体端末情報管理テーブル作成部２２２は、移動体端末情報滞在位置判定部２２１が、接続しているセルのエッジ近傍に滞在すると判定した移動体端末毎のトラフィック量を合計し、エッジ近傍に滞在する移動体端末の合計トラフィック量１５０４として保持する。また、移動体端末情報管理テーブル作成部２２２は、移動体端末情報滞在位置判定部２２１が、接続しているセルの基地局端近傍に滞在すると判定した移動体端末毎のトラフィック量を合計し、基地局端近傍に滞在する移動体端末数１５１１として保持する。また、移動体端末情報管理テーブル作成部２２２は、移動体端末情報滞在位置判定部２２１が、接続しているセルの中央部に滞在すると判定した移動体端末毎のトラフィック量を合計し、セル中央部に滞在する移動体端末の合計トラフィック量１５１３として保持する。また、移動体端末情報管理テーブル作成部２２２は、移動体端末情報滞在位置判定部２２１が、接続しているセルの基地局近傍に滞在すると判定した移動体端末毎のトラフィック量を合計し、基地局近傍に滞在する移動体端末の合計トラフィック量１５１５として保持する。
【００４７】
また、当該トラフィック量を合計する際に、移動体端末情報管理テーブル作成部２２２は、送信データ処理部２１２および受信データ処理部２１３が管理している、基地局６０３と接続している移動体端末のトラフィック量を参照する。
【００４８】
さらに、移動体端末情報管理テーブル作成部２２２は、各セルのエッジ近傍に滞在する移動体端末の合計トラフィック量１５０４と、基地局端近傍に滞在する移動体端末の合計トラフィック量１５１１の合計値を、セルの境界近傍に滞在する全移動体端末の合計トラフィック量１５１２として、保持する。また、移動体端末情報管理テーブル作成部２２２は、セルの境界近傍に滞在する全移動体端末の合計トラフィック量１５１２、セル中央部に滞在する移動体端末の合計トラフィック量１５１３および基地局近傍に滞在する移動体端末の合計トラフィック量１５１５の合計値を、セルに滞在する全移動体端末の合計トラフィック量１５１４として、保持する。
【００４９】
図１６は、第３の方法で作成した移動体端末情報管理テーブル２１１の例である。同図において、基地局６０２は、基地局６０２傘下のセルＡ１６０１、セルＢ１６０２、およびセルＣ１６０３夫々の、エッジ近傍に滞在する移動体端末の合計バッファ量１６０４、基地局端に滞在する移動体端末の合計バッファ量１６１１、セルの境界近傍に滞在する全移動体端末の合計バッファ量、セル中央部に滞在する移動体端末の合計バッファ量１６１３、セルに滞在する全移動体端末の合計バッファ量および基地局近傍に滞在する移動体端末の合計バッファ量１６１５を保持する。さらに、エッジ近傍に滞在する移動体端末の合計バッファ量１６０４は、エッジＸ近傍に滞在する移動体端末の合計バッファ量１６０５、エッジＹ近傍に滞在する移動体端末の合計バッファ量１６０６、およびエッジＺ近傍に滞在する移動体端末の合計バッファ量１６０７に細分化して保持する。
【００５０】
シーケンス６１５において、移動体端末情報管理テーブル作成部２２２は、移動体端末情報滞在位置判定部２２１が、接続しているセルのエッジ近傍に滞在すると判定した移動体端末毎のバッファ量を合計し、エッジ近傍に滞在する移動体端末の合計バッファ量１６０４として保持する。また、移動体端末情報管理テーブル作成部２２２は、移動体端末情報滞在位置判定部２２１が、接続しているセルの基地局端近傍に滞在すると判定した移動体端末毎のバッファ量を合計し、基地局端近傍に滞在する移動体端末数１６１１として保持する。また、移動体端末情報管理テーブル作成部２２２は、移動体端末情報滞在位置判定部２２１が、接続しているセルの中央部に滞在すると判定した移動体端末毎のバッファ量を合計し、セル中央部に滞在する移動体端末の合計バッファ量１６１３として保持する。また、移動体端末情報管理テーブル作成部２２２は、移動体端末情報滞在位置判定部２２１が、接続しているセルの基地局近傍に滞在すると判定した移動体端末毎のバッファ量を合計し、基地局近傍に滞在する移動体端末の合計バッファ量１６１５として保持する。
【００５１】
また、当該バッファ量を合計する際に、移動体端末情報管理テーブル作成部２２２は、送信データバッファ２１４に滞留している、基地局６０３と接続している移動体端末のバッファ量を参照する。
【００５２】
さらに、移動体端末情報管理テーブル作成部４２２は、各セルのエッジ近傍に滞在する移動体端末の合計バッファ量１６０４と、基地局端近傍に滞在する移動体端末の合計バッファ量１６１１の合計値を、セルの境界近傍に滞在する全移動体端末の合計バッファ量１６１２として、保持する。また、移動体端末情報管理テーブル作成部２２２は、セルの境界近傍に滞在する全移動体端末の合計バッファ量１６１２、セル中央部に滞在する移動体端末の合計バッファ量１６１３および基地局近傍に滞在する移動体端末の合計バッファ量１６１５の合計値を、セルに滞在する全移動体端末の合計バッファ量１６１４として、保持する。
【００５３】
シーケンス６１５において、移動体端末情報管理テーブル２１１が保持する移動体端末の情報は、図８のように、基地局６０２傘下の各セルの各領域に滞在している移動体端末の数でも良いし、図１５のように、基地局６０２傘下の各セルの各領域に滞在している移動体端末のトラフィック量でも良いし、図１６のように、基地局６０２傘下の各セルの各領域に滞在している移動体端末に対する下り信号のバッファ量でも良い。
【００５４】
次に、シーケンス６１６において、基地局６０２が、優先チャネル量決定テーブル作成部２２３を用いて、基地局６０２傘下の各セルの優先チャネル量が保持されている優先チャネル量決定テーブル２１２を作成する方法を、図９、図１３、図１４、図２６、図２７および図２８を用いて説明する。
【００５５】
まず、図９を用いて、優先チャネル量決定テーブル作成部２２３が優先チャネル量決定テーブル２１２を作成する第１の方法について説明する。
【００５６】
図９において、セル識別子９０１は、基地局６０２傘下の各セルの識別子が保持されている。また、セルの境界近傍に滞在する全移動体端末数９０４には、シーケンス６１５において、第１の方法で作成した、移動体端末情報管理テーブル２１１に格納されている、基地局６０２傘下の各セルのセル境界近傍に滞在する全移動体端末数８１２の値が保持されている。また、優先チャネルの割合９０２には、基地局６０２傘下の各セルに割り当てる優先チャネルのセルが使用可能な全周波数に対する割合が保持されており、優先チャネル量９０３には、基地局６０２傘下の各セルの優先チャネル量が保持されている。
【００５７】
優先チャネル量決定テーブル作成部２２３は、図８で計算した、セル境界近傍に滞在する全移動体端末数８１２から、基地局６０２傘下の各セルに割り当てる優先チャネルの割合を算出し、優先チャネル量決定テーブル２１２に優先チャネルの割合９０２として保持する。優先チャネルの割合９０２は、以下の数式（１）〜（３）を用いて計算する。
【００５８】
【数１】
2015026970.tif 000003
【００５９】
【数２】
2015026970.tif 000004
【００６０】
【数３】
2015026970.tif 000005
【００６１】
また、優先チャネル量決定テーブル作成部２２３は、優先チャネルの割合９０２から、基地局６０２傘下の各セル夫々に割り当てる優先チャネル量を計算し、優先チャネル量９０３として、優先チャネル量決定テーブル２１２に保持する。優先チャネル量９０３は、以下の数式（４）〜（６）を用いて計算する。
【００６２】
【数４】
2015026970.tif 000006
【００６３】
【数５】
2015026970.tif 000007
【００６４】
【数６】
2015026970.tif 000008
【００６５】
例えば、基地局６０２のシステム帯域幅が２０ＭＨｚであり、シーケンス６１５において作成した、移動体端末情報管理テーブル２１１に格納されている情報が、図８に従うものとすると、基地局６０２傘下の各セルのセルの境界近傍に滞在する全移動体端末数９０４は、セルＡが３２０、セルＢが１６０、セルＣが４０となり、各セルの優先チャネルの割合９０２は、セルＡが０．６３、セルＢが０．３１、セルＣが０．０６となり、各セルの優先チャネル量９０３は、セルＡが１２．２ＭＨｚ、セルＢが６．２ＭＨｚ、セルＣが１．２ＭＨｚとなり、その合計値は基地局６０２のシステム帯域幅２０ＭＨｚとなる。
【００６６】
また、図１３を用いて、優先チャネル量決定テーブル作成部２２３が優先チャネル量決定テーブル２１２を作成する第２の方法について説明する。
【００６７】
図１３において、セル識別子１３０１は、基地局６０２傘下の各セルの識別子が保持されている。また、セルの境界近傍に滞在する全移動体端末の合計トラフィック量１３０４には、シーケンス６１５において、第２の方法で作成した、移動体端末情報管理テーブル２１１に格納されている、基地局６０２傘下の各セルのセル境界近傍に滞在する全移動体端末の合計トラフィック量の値が保持されている。また、優先チャネルの割合１３０２には、基地局６０２傘下の各セルに割り当てる優先チャネルのセルが使用可能な全周波数に対する割合が保持されており、優先チャネル量１３０３には、基地局６０２傘下の各セルの優先チャネルの周波数が保持されている。優先チャネル量決定テーブル作成部２２３は、図１５で計算した、セル境界近傍に滞在する全移動体端末の合計トラフィック量１５１２の値から、基地局６０２傘下の各セルに割り当てる優先チャネルの割合を算出し、優先チャネル量決定テーブル２１２に優先チャネルの割合１３０２として保持する。優先チャネルの割合１３０２は、以下の数式（７）〜（９）を用いて計算する。
【００６８】
【数７】
2015026970.tif 000009
【００６９】
【数８】
2015026970.tif 000010
【００７０】
【数９】
2015026970.tif 000011
【００７１】
優先チャネル量決定テーブル２１２を作成する第２の方法において、優先チャネル量決定テーブル作成部２２３は、優先チャネルの割合１３０２から、基地局６０２傘下の各セル夫々に割り当てる優先チャネル量を計算し、優先チャネル量１３０３として、優先チャネル量決定テーブル２１２に保持する。優先チャネル量１３０３は、以下の数式（１０）〜（１２）を用いて計算する。
【００７２】
【数１０】
2015026970.tif 000012
【００７３】
【数１１】
2015026970.tif 000013
【００７４】
【数１２】
2015026970.tif 000014
【００７５】
例えば、基地局６０２のシステム帯域幅が２０ＭＨｚであり、シーケンス６１５において作成した、移動体端末情報管理テーブル２１１に格納されている情報が、図１５に従うものとすると、基地局６０２傘下の各セルのセルの境界近傍に滞在する全移動体端末の合計トラフィック量１３０４は、セルＡが４００Ｍｂｐｓ、セルＢが２００Ｍｂｐｓ、セルＣが１００Ｍｂｐｓとなり、各セルの優先チャネルの割合１３０２は、セルＡが０．５７、セルＢが０．２９、セルＣが０．１４となり、各セルの優先チャネル量１３０３は、セルＡが１１．４ＭＨｚ、セルＢが５．８ＭＨｚ、セルＣが２．８ＭＨｚとなり、その合計値は基地局６０２のシステム帯域幅２０ＭＨｚとなる。
【００７６】
また、図１４を用いて、優先チャネル量決定テーブル作成部２２３が優先チャネル量決定テーブル２１２を作成する第３の方法について説明する。
【００７７】
図１４において、セル識別子１４０１は、基地局６０２傘下の各セルの識別子が保持されており、セルの境界近傍に滞在する全移動体端末の合計バッファ量１４０４には、シーケンス６１５において、第３の方法で作成した、移動体端末情報管理テーブル２１１に格納されている、基地局６０２傘下の各セルのセル境界近傍に滞在する全移動体端末の合計バッファ量の値が保持されており、優先チャネルの割合１４０２には、基地局６０２傘下の各セルに割り当てる優先チャネルのセルが使用可能な全周波数に対する割合が保持されており、優先チャネル量１４０３には、基地局６０２傘下の各セルの優先チャネルの周波数が保持されている。優先チャネル量決定テーブル作成部２２３は、図１６で計算した、セル境界近傍に滞在する全移動体端末の合計バッファ量１６１２の値から、基地局６０２傘下の各セル１４０１に割り当てる優先チャネルの割合を算出し、優先チャネル量決定テーブル２１２に優先チャネルの割合１４０２として保持する。優先チャネルの割合１４０２は、以下の数式（１３）〜（１５）を用いて計算する。
【００７８】
【数１３】
2015026970.tif 000015
【００７９】
【数１４】
2015026970.tif 000016
【００８０】
【数１５】
2015026970.tif 000017
【００８１】
優先チャネル量決定テーブル２１２を作成する第３の方法において、優先チャネル量決定テーブル作成部２２３は、優先チャネルの割合１４０２から、基地局６０２傘下の各セル夫々に割り当てる優先チャネル量を計算し、優先チャネル量１４０３として、優先チャネル量決定テーブル２１２に保持する。優先チャネル量１４０３は、以下の数式（１６）〜（１８）を用いて計算する。
【００８２】
【数１６】
2015026970.tif 000018
【００８３】
【数１７】
2015026970.tif 000019
【００８４】
【数１８】
2015026970.tif 000020
【００８５】
例えば、基地局６０２のシステム帯域幅が２０ＭＨｚであり、シーケンス６１５において作成した、移動体端末情報管理テーブル２１１に格納されている情報が、図１６に従うものとすると、基地局６０２傘下の各セルのセルの境界近傍に滞在する全移動体端末の合計トラフィック量１４０４は、セルＡが３００ＭＢｙｔｅ、セルＢが３００ＭＢｙｔｅ、セルＣが５００ＭＢｙｔｅとなり、各セルの優先チャネルの割合１４０２は、セルＡが０．２７、セルＢが０．２７、セルＣが０．４６となり、各セルの優先チャネル量１４０３は、セルＡが５．４Ｈｚ、セルＢが５．４ＭＨｚ、セルＣが９．２ＭＨｚとなり、その合計値は基地局６０２のシステム帯域幅２０ＭＨｚとなる。
【００８６】
また、図２６を用いて、優先チャネル量決定テーブル作成部２２３が優先チャネル量決定テーブル２１２を作成する第４の方法について説明する。
【００８７】
図２６において、セル識別子２６０１は、基地局６０２傘下の各セルの識別子が保持されており、セルに滞在する全移動体端末数２６０４には、シーケンス６１５において、第１の方法で作成した、移動体端末情報管理テーブル２１１に格納されている、基地局６０２傘下の各セルのセルに滞在する全移動体端末数の値が保持されており、優先チャネルの割合２６０２には、基地局６０２傘下の各セルに割り当てる優先チャネルのセルが使用可能な全周波数に対する割合が保持されており、優先チャネル量２６０３には、基地局６０２傘下の各セルの優先チャネル量が保持されている。
【００８８】
優先チャネル量決定テーブル作成部２２３は、図８で計算した、セルに滞在する全移動体端末数８１３から、基地局６０２傘下の各セル２６０１に割り当てる優先チャネルの割合を算出し、優先チャネル量決定テーブル２１２に優先チャネルの割合２６０２として保持する。優先チャネルの割合２６０２は、以下の数式（１９）〜（２１）を用いて計算する。
【００８９】
【数１９】
2015026970.tif 000021
【００９０】
【数２０】
2015026970.tif 000022
【００９１】
【数２１】
2015026970.tif 000023
【００９２】
また、優先チャネル量決定テーブル作成部２２３は、優先チャネルの割合２６０２から、基地局６０２傘下の各セル２６０１夫々に割り当てる優先チャネル量を計算し、優先チャネル量２６０３として、優先チャネル量決定テーブル２１２に保持する。優先チャネル量２６０３は、以下の数式（２２）〜（２４）を用いて計算する。
【００９３】
【数２２】
2015026970.tif 000024
【００９４】
【数２３】
2015026970.tif 000025
【００９５】
【数２４】
2015026970.tif 000026
【００９６】
例えば、基地局６０２のシステム帯域幅が２０ＭＨｚであり、シーケンス６１５において作成した、移動体端末情報管理テーブル２１１に格納されている情報が、図８に従うものとすると、基地局６０２傘下の各セルのセルに滞在する全移動体端末数２６０４は、セルＡが３６０、セルＢが２７０、セルＣが２５０となり、各セルの優先チャネルの割合２６０２は、セルＡが０．４１、セルＢが０．３１、セルＣが０．２８となり、各セルの優先チャネル量２６０３は、セルＡが８．２ＭＨｚ、セルＢが６．２ＭＨｚ、セルＣが５．６ＭＨｚとなり、その合計値は基地局６０２のシステム帯域幅２０ＭＨｚとなる。
【００９７】
また、図２７を用いて、優先チャネル量決定テーブル作成部２２３が優先チャネル量決定テーブル２１２を作成する第５の方法について説明する。
【００９８】
図２７において、セル識別子２７０１は、基地局６０２傘下の各セルの識別子が保持されており、セルに滞在する全移動体端末の合計トラフィック量２７０４には、シーケンス６１５において、第２の方法で作成した、移動体端末情報管理テーブル２１１に格納されている、基地局６０２傘下の各セルのセルに滞在する全移動体端末の合計トラフィック量の値が保持されており、優先チャネルの割合２７０２には、基地局６０２傘下の各セルに割り当てる優先チャネルのセルが使用可能な全周波数に対する割合が保持されており、優先チャネル量２７０３には、基地局６０２傘下の各セルの優先チャネルの周波数が保持されている。優先チャネル量決定テーブル作成部２２３は、図１５で計算した、セルに滞在する全移動体端末の合計トラフィック量１５１３の値から、基地局６０２傘下の各セル２７０１に割り当てる優先チャネルの割合を算出し、優先チャネル量決定テーブル２１２に優先チャネルの割合２７０２として保持する。優先チャネルの割合２７０２は、以下の数式（２５）〜（２７）を用いて計算する。
【００９９】
【数２５】
2015026970.tif 000027
【０１００】
【数２６】
2015026970.tif 000028
【０１０１】
【数２７】
2015026970.tif 000029
【０１０２】
優先チャネル量決定テーブル２１２を作成する第５の方法において、優先チャネル量決定テーブル作成部２２３は、優先チャネルの割合２７０２から、基地局６０２傘下の各セル２７０１夫々に割り当てる優先チャネル量を計算し、優先チャネル量２７０３として、優先チャネル量決定テーブル２１２に保持する。優先チャネル量２７０３は、以下の数式（２８）〜（３０）を用いて計算する。
【０１０３】
【数２８】
2015026970.tif 000030
【０１０４】
【数２９】
2015026970.tif 000031
【０１０５】
【数３０】
2015026970.tif 000032
【０１０６】
例えば、基地局６０２のシステム帯域幅が２０ＭＨｚであり、シーケンス６１５において作成した、移動体端末情報管理テーブル２１１に格納されている情報が、図１５に従うものとすると、基地局６０２傘下の各セルのセルに滞在する全移動体端末の合計トラフィック量２７０４は、セルＡが７５０Ｍｂｐｓ、セルＢが６５０Ｍｂｐｓ、セルＣが３５０Ｍｂｐｓとなり、各セルの優先チャネルの割合２７０２は、セルＡが０．４３、セルＢが０．３７、セルＣが０．２０となり、各セルの優先チャネル量２７０３は、セルＡが８．６ＭＨｚ、セルＢが７．４ＭＨｚ、セルＣが４．０ＭＨｚとなり、その合計値は基地局６０２のシステム帯域幅２０ＭＨｚとなる。
【０１０７】
また、図２８を用いて、優先チャネル量決定テーブル作成部２２３が優先チャネル量決定テーブル２１２を作成する第６の方法について説明する。
【０１０８】
図２８において、セル識別子２８０１は、基地局６０２傘下の各セルの識別子が保持されており、セルに滞在する全移動体端末の合計バッファ量２８０４には、シーケンス６１５において、第３の方法で作成した、移動体端末情報管理テーブル２１１に格納されている、基地局６０２傘下の各セルのセルに滞在する全移動体端末の合計バッファ量の値が保持されており、優先チャネルの割合２８０２には、基地局６０２傘下の各セルに割り当てる優先チャネルのセルが使用可能な全周波数に対する割合が保持されており、優先チャネル量２８０３には、基地局６０２傘下の各セルの優先チャネルの周波数が保持されている。優先チャネル量決定テーブル作成部２２３は、図１６で計算した、セルに滞在する全移動体端末の合計バッファ量１６１３の値から、基地局６０２傘下の各セル２８０１に割り当てる優先チャネルの割合を算出し、優先チャネル量決定テーブル２１２に優先チャネルの割合２８０２として保持する。優先チャネルの割合２８０２は、以下の数式（３１）〜（３３）を用いて計算する。
【０１０９】
【数３１】
2015026970.tif 000033
【０１１０】
【数３２】
2015026970.tif 000034
【０１１１】
【数３３】
2015026970.tif 000035
【０１１２】
優先チャネル量決定テーブル２１２を作成する第６の方法において、優先チャネル量決定テーブル作成部２２３は、優先チャネルの割合２８０２から、基地局６０２傘下の各セル２８０１夫々に割り当てる優先チャネル量を計算し、優先チャネル量２８０３として、優先チャネル量決定テーブル２１２に保持する。優先チャネル量２８０３は、以下の数式（３４）〜（３６）を用いて計算する。
【０１１３】
【数３４】
2015026970.tif 000036
【０１１４】
【数３５】
2015026970.tif 000037
【０１１５】
【数３６】
2015026970.tif 000038
【０１１６】
例えば、基地局６０２のシステム帯域幅が２０ＭＨｚであり、シーケンス６１５において作成した、移動体端末情報管理テーブル２１１に格納されている情報が、図１６に従うものとすると、基地局６０２傘下の各セルのセルの境界近傍に滞在する全移動体端末の合計トラフィック量２８０４は、セルＡが４２０ＭＢｙｔｅ、セルＢが７００ＭＢｙｔｅ、セルＣが９２０ＭＢｙｔｅとなり、各セルの優先チャネルの割合２８０２は、セルＡが０．２１、セルＢが０．３４、セルＣが０．４５となり、各セルの優先チャネル量２８０３は、セルＡが４．２Ｈｚ、セルＢが６．８ＭＨｚ、セルＣが９．０ＭＨｚとなり、その合計値は基地局６０２のシステム周波数帯域幅２０ＭＨｚとなる。
【０１１７】
次に、シーケンス６１７において、基地局６０２が優先チャネル位置決定部２２４を用いて、シーケンス６１６において作成した、優先チャネル量決定テーブル２１２に格納されている、基地局６０２傘下の各セルの優先チャネルの、周波数軸上での位置を決定する方法を、図１０を用いて説明する。
【０１１８】
図１０において、基地局６０２は、セルＡ１００１、セルＢ１００２およびセルＣ１００３を傘下に持つものとする。また、システム周波数帯域幅１０１０は基地局６０２のシステム帯域幅であり、その値は２０ＭＨｚであるとする。
【０１１９】
優先チャネル位置決定部２２４は、セルＡ１００１、セルＢ１００２、セルＣ１００３の優先チャネルがセル間で重複しないように、優先チャネルの周波数軸上での開始位置および終了位置を規定する。
【０１２０】
図１０では、優先チャネル量決定テーブル２１２を作成する第１の方法で算出した、優先チャネル量を例に説明をするが、図１３、図１４、図２６、図２７および図２８で説明をした、優先チャネル量決定テーブル２１２を作成する第２、第３、第４、第５、第６の方法で算出した、優先チャネル量を用いる場合でも、同様である。
【０１２１】
シーケンス６１６において、基地局６０２の優先チャネル量決定テーブル作成部２２３が作成した、優先チャネル量決定テーブル２１２に、図９の優先チャネル量決定テーブル２１２を作成する第１の方法で算出した優先チャネル量、セルＡの優先チャネルが１２．６ＭＨｚ、セルＢの優先チャネルが６、セルＣの優先チャネルが１．２ＭＨｚであると記されているものとする。
【０１２２】
基地局６０２は、システム帯域幅１０１０のうち、もっとも小さい周波数値１０１８である０ＭＨｚをセルＡ１００１の優先チャネルの開始位置１００４とする。その後、基地局６０２はセルＡ１００１の優先チャネルの開始位置１００４から周波数が増加する方向に対して、シーケンス６１６で基地局６０２が作成した、優先チャネル量決定テーブル２１２に格納されている、セルＡ１００１の優先チャネル１０１３を確保する。その後、基地局６０２は、セルＡ１００１の優先チャネル１０１３の優先チャネル量である１２．６を確保し、セルＡ１００１の優先チャネルの終了位置１００５に到達した点を、セルＢ１００２の優先チャネル開始位置１００６とする。この時、セルＡ１００１の優先チャネルの終了位置１００５およびセルＢ１００２の優先チャネル開始位置１００６の周波数軸上の値は１２．６ＭＨｚとなる。
【０１２３】
その後、基地局６０２は、セルＢ１００２の優先チャネルの開始位置１００６から、周波数が増加する方向に対して、シーケンス６１６で基地局６０２が作成した、優先チャネル量決定テーブル２１２に格納されている、セルＢ１００２の優先チャネル１０１４を確保する。その後、基地局６０２は、セルＢ１００２の優先チャネル１０１４の優先チャネル量である、６．２ＭＨｚを確保し、セルＢ１００２の優先チャネルの終了位置１００７に到達した点を、セルＣ１００３の優先チャネルの開始位置１００８とする。この時、セルＢ１００２の優先チャネルの終了位置１００６およびセルＣ１００３の優先チャネルの開始位置１００８の周波数軸上での値は１８．８ＭＨｚとなる。
【０１２４】
その後、基地局６０２は、セルＣ１００３の優先チャネルの開始位置１００８から、周波数が増加する方向に対して、シーケンス６１６で基地局６０２が作成した、優先チャネル量決定テーブル４１２に格納されている、セルＣ１００３の優先チャネル１０１５の優先チャネル量である、１．２ＭＨｚを確保する。
【０１２５】
セルＡ１００１にとって、セルＡ１００１の優先チャネルの開始位置１００４である０ＭＨｚからセルＡ１００１の優先チャネルの終了位置１０１３である１２．６ＭＨｚまでの周波数帯域が、セルＡ１００１の優先チャネル１０１３となり、それ以外の周波数である１２．６ＭＨｚから７．４ＭＨｚは、セルＡ１００１の非優先チャネル１０２１となる。また、セルＢ１００２の優先チャネルの開始位置１００６である１２．６ＭＨｚからセルＢ１００２の優先チャネルの終了位置１００７である１８．８ＭＨｚまでの周波数帯域が、セルＢ１００２の優先チャネル１０１４となり、それ以外の周波数である、０ＭＨｚから１２．６ＭＨｚまでの周波数帯域はセルＢ１００２の非優先チャネル１０２２となり、１８．８Ｍｚから２０ＭＨｚまでの周波数帯域はセルＢ１００２の非優先チャネル１０２３となる。また、セルＣ１００３の優先チャネルの開始位置１００８である１８．８ＭＨｚからセルＣ１００３の優先チャネルの終了位置１００９である２０ＭＨｚまでの周波数帯域が、セルＣ１００３の優先チャネル１０１５となり、それ以外の周波数である０ＭＨｚから１８．８ＭＨｚまでの周波数帯域は、セルＣ１００３の非優先チャネル１０２４となる。
【０１２６】
ただし、前記では、最も低い周波数からセルＡ１００１の優先チャネル１０１３の割り当てを開始し、セルＡ１００１の優先チャネル１０１３の割り当て後、セルＢ１００２の優先チャネル１０１４の割り当てを行い、セルＢ１００２の優先チャネル１０１４の割り当て終了後、セルＣ１００３の優先チャネル１０１５の割り当てを行ったが、基地局６０２傘下のどのセルから優先チャネルの割り当てを行ってもよく、割り当てを開始する周波数は最も低い周波数である必要はない。
【０１２７】
次に、シーケンス６１８において、基地局６０２が重複チャネル量決定部２２５で、重複チャネル量決定テーブル２１３に格納されている情報を参照して、基地局６０２傘下の各セルの重複チャネルを決定する方法について、図１１、図１２、図１７−図２４を用いて説明する。
【０１２８】
まず、図１１、図１７および図２２を用いて、セルの重複チャネルを決定する第１の方法を説明する。
【０１２９】
図１１に、第１の方法を用いた重複チャネル量決定テーブル２１３の例を示す。重複チャネル量決定テーブル２１３には、基地局６０３のエッジＸ５４１、エッジＹ５４２、エッジＺ５４３の夫々のエッジ近傍に滞在している各セルの移動体端末数の比率に応じた、重複チャネル量の値が格納されている。図１１の例において、重複チャネル量テーブル２１４は、エッジ近傍に滞在する移動体端末数の比率１１０１と、重複チャネル量１１０２を保持する。前記のとおり、重複チャネル量決定テーブル２１４に格納されている各値は、あらかじめ設定されているものとする。
【０１３０】
シーケンス６１８において、基地局６０２が図１１の重複チャネル量決定テーブル２１４を参照し、セルの重複チャネルを決定する方法について、図１７を用いて説明する。
【０１３１】
フロー１７０１において、基地局６０２は、シーケンス６１５で移動体端末情報管理テーブル作成部２２２が作成した移動体端末情報管理テーブル２１１と、重複チャネル量決定テーブル２１３に格納されている情報をもとに、重複チャネル決定部２２５が、基地局６０２傘下の各セルのエッジＸ５４１近傍に滞在する移動体端末の比率と、各セルのエッジＹ５４２近傍に滞在する移動体端末の比率と、各セルのエッジＺ５４３近傍に滞在する移動体端末の比率を計算する。
【０１３２】
各セルのエッジ近傍に滞在する移動体端末の比率は以下の数式（３７）〜（３９）を用いて計算する。
【０１３３】
【数３７】
2015026970.tif 000039
【０１３４】
【数３８】
2015026970.tif 000040
【０１３５】
【数３９】
2015026970.tif 000041
【０１３６】
各セルのエッジ近傍に滞在する移動体端末の比率の計算式において、各セルのエッジ近傍に滞在する移動体端末の数は、移動体端末情報管理テーブル２１１のエッジ近傍に滞在する移動体端末数８０４から取得する。また、前記計算式において、右辺の分子と分母の値は逆転していても良い。
【０１３７】
フロー１７０２において、基地局６０２は、前記各セルのエッジ近傍に滞在する移動体端末の比率の計算結果を、重複チャネル量決定テーブル２１３のエッジ近傍に滞在する移動体端末数の比率１１０１と照合し、該当する値が格納されている行における、重複チャネル量１１０２に格納されている値を重複チャネル量として、決定する。
【０１３８】
ここで、重複チャネル量の値が負の値を示しているとき、エッジ近傍に滞在する移動体端末の比率の計算式の、右辺における分母の移動体端末が接続しているセルが、エッジ近傍に滞在する移動体端末の比率の計算式の、右辺における分子の移動体端末が接続しているセルの優先チャネルを、重複チャネル量決定テーブル２１４の列１１０２が示している重複チャネル量の割合だけ、重複して利用できることを示す。また、重複チャネル量の値が正の値を示しているとき、エッジ近傍に滞在する移動体端末の比率の計算式の、右辺における分子の移動体端末が接続しているセルが、エッジ近傍に滞在する移動体端末の比率の計算式の、右辺における分母の移動体端末が接続しているセルの優先チャネルを、重複チャネル量決定テーブル２１４の列１１０２が示している重複チャネル量の割合だけ、重複して利用できることを示す。
【０１３９】
図２２に、基地局６０２が、第１の方法を用いて、シーケンス６１８において決定した基地局６０２傘下のセルの重複チャネルの結果の例を示す。
【０１４０】
図２２において、セルＡの優先チャネル２２０１、セルＢの優先チャネル２２０２およびセルＣの優先チャネル２２０３は、夫々のセルの優先チャネルのうち、隣接セルに対して重複チャネルとして使用を許す割合を示している。また、セルＡの重複チャネル２２１１、セルＢの重複チャネル２２１２およびセルＣの重複チャネル２２１３は、夫々のセルが隣接セルの優先チャネルを重複チャネルとして使用できる割合を示している。
【０１４１】
図２２の表において、例えば、セルＣの重複チャネル２２１３とセルＡの優先チャネル２２０１が示すセル２２１４に２０％の値が示されている場合、セルＣはセルＡの優先チャネルのうち、２０％をセルＣの重複チャネルとして利用できることを示している。また、セルＣの重複チャネル２２１３とセルＢの優先チャネル２２０２が示すセル２２１５に−１０％の値が示されている場合、セルＣはセルＢの優先チャネルを、セルＣの重複チャネルとして利用できないことを示している。
【０１４２】
次に、図１８、図２０および図２３を用いて、セルの重複チャネルを決定する第２の方法を説明する。
【０１４３】
図２０に、第２の方法を用いた重複チャネル量テーブル２１３の例を示す。重複チャネル量決定テーブル２１４には、基地局６０３のエッジＸ５４１、エッジＹ５４２、エッジＺ５４３の夫々のエッジ近傍に滞在している各セルの移動体端末の合計トラフィック量の比率に応じた、重複チャネル量の値が格納されている。図２０の例において、重複チャネル量テーブル２１４は、エッジ近傍に滞在する移動体端末の合計トラフィック量の比率２００１と、重複チャネル量２００２を保持する。前記のとおり、重複チャネル量決定テーブル２１４に格納されている各値は、あらかじめ設定されているものとする。
【０１４４】
シーケンス６１８において、基地局６０２が図２０の重複チャネル量決定テーブル４１４を参照し、セルの重複チャネルを決定する方法について、図１８を用いて説明する。
【０１４５】
フロー１８０１において、基地局６０２は、シーケンス６１５で移動体端末情報管理テーブル作成部２２２が作成した移動体端末情報管理テーブル２１１と、重複チャネル量決定テーブル２１３に格納されている情報をもとに、重複チャネル決定部２２５が、基地局６０２傘下の各セルのエッジＸ５４１近傍に滞在する移動体端末の合計トラフィック量の比率と、各セルのエッジＹ５４２近傍に滞在する移動体端末の合計トラフィック量の比率と、各セルのエッジＺ５４３近傍に滞在する移動体端末の合計トラフィック量の比率を計算する。
【０１４６】
各セルのエッジ近傍に滞在する移動体端末の合計トラフィック量の比率は以下の数式（４０）〜（４２）を用いて計算する。
【０１４７】
【数４０】
2015026970.tif 000042
【０１４８】
【数４１】
2015026970.tif 000043
【０１４９】
【数４２】
2015026970.tif 000044
【０１５０】
各セルのエッジ近傍に滞在する移動体端末の合計トラフィック量の比率の計算式において、各セルのエッジ近傍に滞在する移動体端末の合計トラフィック量は、図１５における移動体端末情報管理テーブル２１１のエッジ近傍に滞在する移動体端末の合計トラフィック量１５０４から取得する。また、前記計算式において、右辺の分子と分母の値は逆転していても良い。
【０１５１】
フロー１８０２において、基地局６０２は、前記各セルのエッジ近傍に滞在する移動体端末の合計トラフィック量の比率の計算結果を、重複チャネル量決定テーブル２１３のエッジ近傍に滞在する移動体端末の合計トラフィック量の比率２００１と照合し、該当する値が格納されている行における、重複チャネル量２００２に格納されている値を重複チャネル量として、決定する。
【０１５２】
ここで、重複チャネル量の値が負の値を示しているとき、エッジ近傍に滞在する移動体端末の比率の計算式の、右辺における分母の移動体端末が接続しているセルが、エッジ近傍に滞在する移動体端末の合計トラフィック量の比率の計算式の、右辺における分子の移動体端末が接続しているセルの優先チャネルを、重複チャネル量決定テーブル２１４の列２００２が示している重複チャネル量の割合だけ、重複して利用できることを示す。また、重複チャネル量の値が正の値を示しているとき、エッジ近傍に滞在する移動体端末の合計トラフィック量の比率の計算式の、右辺における分母の移動体端末が接続しているセルが、エッジ近傍に滞在する移動体端末の比率の計算式の、右辺における分子の移動体端末が接続しているセルの優先チャネルを、重複チャネル量決定テーブル２１４の列２００２が示している重複チャネル量の割合だけ、重複して利用できることを示す。
【０１５３】
図２３に、基地局６０２が、第２の方法を用いて、シーケンス６２０において決定した基地局６０２傘下のセルの重複チャネルの結果の例を示す。なお、図の見方については、図２２と同様であるため、説明を省略する。
【０１５４】
次に、図１９、図２１および図２４を用いて、セルの重複チャネルを決定する第３の方法を説明する。
【０１５５】
図２１に、第３の方法を用いた重複チャネル量テーブル２１３の例を示す。重複チャネル量決定テーブル２１４には、基地局６０３のエッジＸ５４１、エッジＹ５４２、エッジＺ５４３の夫々のエッジ近傍に滞在している各セルの移動体端末の合計バッファ量の比率に応じた、重複チャネル量の値が格納されている。図２１の例において、重複チャネル量テーブル４１４は、エッジ近傍に滞在する移動体端末の合計バッファ量の比率２１０１と、重複チャネル量２１０２を保持する。前記のとおり、重複チャネル量決定テーブル４１４に格納されている各値は、あらかじめ設定されているものとする。
【０１５６】
シーケンス６１８において、基地局６０２が図２１の重複チャネル量決定テーブル４１４を参照し、セルの重複チャネルを決定する方法について、図１９を用いて説明する。
【０１５７】
フロー１９０１において、基地局６０２は、シーケンス６１５で移動体端末情報管理テーブル作成部２２２が作成した移動体端末情報管理テーブル２１１と、重複チャネル量決定テーブル２１３に格納されている情報をもとに、重複チャネル決定部２２５が、基地局６０２傘下の各セルのエッジＸ５４１近傍に滞在する移動体端末の合計バッファ量の比率と、各セルのエッジＹ５４２近傍に滞在する移動体端末の合計バッファ量の比率と、各セルのエッジＺ５４３近傍に滞在する移動体端末の合計バッファ量の比率を計算する。
【０１５８】
各セルのエッジ近傍に滞在する移動体端末の合計バッファ量の比率は以下の数式（４３）〜（４５）を用いて計算する。
【０１５９】
【数４３】
2015026970.tif 000045
【０１６０】
【数４４】
2015026970.tif 000046
【０１６１】
【数４５】
2015026970.tif 000047
【０１６２】
各セルのエッジ近傍に滞在する移動体端末の合計バッファ量の比率の計算式において、各セルのエッジ近傍に滞在する移動体端末の合計バッファ量は、移動体端末情報管理テーブル２１１の図１６におけるエッジ近傍に滞在する移動体端末の合計バッファ量１６０４から取得する。また、前記計算式において、右辺の分子と分母の値は逆転していても良い。
【０１６３】
フロー１９０２において、基地局６０２は、前記各セルのエッジ近傍に滞在する移動体端末の合計バッファ量の比率の計算結果を、重複チャネル量決定テーブル２１３のエッジ近傍に滞在する移動体端末の合計バッファ量の比率２１０１と照合し、該当する値が格納されている行における、重複チャネル量２１０２に格納されている値を重複チャネル量として、決定する。
【０１６４】
ここで、重複チャネル量の値が負の値を示しているとき、エッジ近傍に滞在する移動体端の合計バッファ量の比率の計算式の、右辺における分母の移動体端末が接続しているセルが、エッジ近傍に滞在する移動体端末の合計バッファ量の比率の計算式の、右辺における分子の移動体端末が接続しているセルの優先チャネルを、重複チャネル量決定テーブル２１４の列２１０２が示している重複チャネル量の割合だけ、重複して利用できることを示す。また、重複チャネル量の値が正の値を示しているとき、エッジ近傍に滞在する移動体端末の合計バッファ量の比率の計算式の、右辺における分母の移動体端末が接続しているセルが、エッジ近傍に滞在する移動体端末の合計バッファ量の比率の計算式の、右辺における分子の移動体端末が接続しているセルの優先チャネルを、重複チャネル量決定テーブル２１４の列２１０２が示している重複チャネル量の割合だけ、重複して利用できることを示す。
【０１６５】
図２４に、基地局６０２が、第３の方法を用いて、シーケンス６１８において決定した基地局６０２傘下のセルの重複チャネルの結果の例を示す。なお、図の見方については、図２２と同様であるため、説明を省略する。
【０１６６】
図１２において、シーケンス６１４で管理テーブル作成部２２２が作成した、移動体端末情報管理テーブル２１１が、図８で示す例に従うものとする。また、図１２において、シーケンス６１５で優先チャネル量決定テーブル作成部２２３が作成した、優先チャネル量決定テーブル２１２が、図９で示す例に従うものとする。また、シーケンス６１６で優先チャネル位置決定部２２４が決定した、基地局６０２傘下の各セルの優先チャネルのシステム帯域における位置が、図１０で示される例に従うものとする。また、基地局６０２のメモリ２０１に格納されている、重複チャネル量決定テーブル２１３が、図１１で示される例に従うものとする。また、図１２において、セルＡ１２０１およびセルＢ１２０２はエッジＸ１２０４を挟んで隣接している。また、セルＢ１２０２およびセルＣ１２０３はエッジＹ１２０５を挟んで隣接している。セルＡ１２０１およびセルＣ１２０３はエッジＺ１２０６を挟んで隣接している。
【０１６７】
図１２は、前記計算式を用いて、重複チャネル決定部２２５が、基地局６０２傘下の各セルに接続している、エッジ近傍に滞在している移動体端末の比率を計算した結果、基地局エッジＸ１２０４近傍に滞在する移動体端末の比率が、０．５であり、エッジＹ１２０５近傍に滞在する移動体端末の比率が１．５であり、エッジＺ１２０６近傍に滞在する移動体端末の比率が２．０である場合に、図１１の重複チャネル量決定テーブル２１４を参照して、各セルの重複チャネルを配分した結果の例となる。
【０１６８】
図１１の重複チャネル決定テーブル２１３の例と照合すると、エッジＸを挟んだセルＡとセルＢの重複チャネル量はマイナス２０％となる。従って、図１２において、セルＡ１２０１の優先チャネル１２０７である１２．６ＭＨｚの帯域幅の２０％である、２．５２ＭＨｚの帯域をセルＢ１２０２の優先チャネルとして利用することができ、これがセルＢ１２０２の重複チャネル１２１２となる。また、図１１によると、エッジＹを挟んだセルＢ１２０２とセルＣ１２０３の重複チャネル量は、プラス１０％となる。従って、セルＣ１２０３の優先チャネル１２０９である、１．２ＭＨｚの帯域幅の１０％である０．１２ＭＨｚをセルＢ１２０２においても優先チャネルとして利用することができ、これがセルＢ１２０２の重複チャネル１２１３となる。また、図１１によると、エッジＺを挟んだセルＣとセルＡの重複チャネル量はプラス２０％となる。従って、図１２において、セルＡ１２０１の優先チャネル１２０７である１２．６ＭＨｚの帯域幅の２０％である、２．５２ＭＨｚをセルＣ１２０３において優先チャネルとして利用することができ、この値がセルＣ１２０３の重複チャネル１２１９となる。
【０１６９】
シーケンス６１５において、基地局６０２が作成した移動体端末情報管理テーブル２１１において、セル境界近傍に滞在する全移動体端末の数では、セルＣ８０３はセルＡ８０１、セルＢ８０２に比べ、少ないため、優先チャネルの割当量はセルＡ８０１、セルＢ８０２に比べ、少ない。しかし、エッジＺ近傍に滞在する移動体端末の数を比較すると、セルＣ８０３の移動体端末が、セルＡ８０１に比べ多いため、エッジＺ近傍においては、セルＣ８０３がより多くの優先チャネルが必要となる。
【０１７０】
従って、シーケンス６１６において、セル全体で、干渉の低減が必要な、セル境界近傍に滞在する全移動体端末数の数に応じて、優先チャネルの割り当てを行うこととともに、シーケンス６１８において、各エッジ近傍に滞在する移動体端末の数を隣接セル間で比較して、優先チャネルの重複をさせることにより、セルのエッジ近傍に滞在する移動体端末のスループットの向上を図ることができる。
【０１７１】
次に、シーケンス６１９において、基地局６０２のスケジューリング機能部２２６が基地局６０２傘下の各セルに接続する移動体端末に対して下り信号のスケジューリングを行う方法について、図２９および図１２を用いて説明する。図２９において、各セルが保有する優先チャネルおよび非優先チャネルは、シーケンス６１８において、図１２の例に従い決定されたものとする。
【０１７２】
まず、フロー２９０１において、スケジューリング機能部２２６は第１のエッジ近傍に 滞在している移動体端末に対して、第２のエッジを挟んだ隣接セルと重複している優先チャネルを優先的に割り当てる。
【０１７３】
次に、フロー２９０２において、スケジューリング機能部２２６は第２のエッジ近傍に滞在している移動体端末に対して、第１のエッジを挟んだ隣接セルと重複している優先チャネルを優先的に割り当てる。
【０１７４】
次に、フロー２９０３において、スケジューリング機能部２２６は基地局端近傍に滞在する移動体端末に対して、各セルの重複していない優先チャネルを優先的に割り当てる。
【０１７５】
次に、フロー２９０４において、スケジューリング機能部２２６は、基地局近傍に滞在する移動体端末、およびセル中央部に滞在する移動体端末に対して非優先チャネルを優先的に割り当てる。
【０１７６】
例えば、図１２において、セルＡ１２０１はエッジＸ１２０４とエッジＺ１２０６の２つのエッジを隣接セルとのエッジとして有する。ここで、エッジＸをセルＡ１２０１の第１のエッジとすると、第２のエッジはエッジＺ１２０６となり、エッジＺ１２０６を挟んだ隣接セルはセルＣ１２０３となる。
【０１７７】
従って、図１２の例では、フロー２９０２において、エッジＺ１２０６近傍に滞在する移動体端末に対して、セルＢと重複するセルＡの優先チャネル１２２４を優先的に割り当てを行う。また、フロー２９０２において、エッジＹ１２０５近傍に滞在する移動体端末に対して、セルＣ１２０３と重複するセルＡ１２０１の優先チャネル１２２３を優先的に割り当てを行う。また、フロー２９０３において、隣接セルとの優先チャネルと重複していないセルＡの優先チャネル１２２５をセルＡ１２０１の基地局端近傍に滞在する移動体端末に対して割り当てを行う。また、フロー２９０４において、セルＡ１２０１の基地局近傍に滞在する移動体端末およびセル中央部に滞在する移動体端末に対して、セルＡの非優先チャネル１２２６を優先的に割り当てを行う。その他のセルＢ１２０２、セルＣ１２０３と接続している移動体端末のスケジューリングについても同様の操作を行う。
【０１７８】
以上のようなスケジューリングを行うことで、優先チャネルの重複を行った場合においても、隣接セル間のエッジ近傍に滞在する移動体端末に対して割り当てる周波数を異なるものにすることで、隣接セル間のエッジ近傍に滞在する移動体端末同士の干渉を防ぐことができる。
【０１７９】
次に、シーケンス６２１において、基地局６０２が重複チャネル調整部２２７で、基地局６０２傘下の各セルの重複チャネルの調整を行う方法について、図３０を用いて説明する。シーケンス６２１の処理は、基地局６０２傘下の各セルのエッジに対して行う。図３０は基地局６０２のエッジＸにおける重複チャネル調整処理の例であるが、基地局６０２傘下のほかのエッジである、エッジＹ、エッジＺについても同様の処理を行う。
【０１８０】
まず、フロー３０１１において、重複チャネル調整部２２７は、シーケンス６２０において、基地局６０２傘下の各移動体端末に対して送信したトラフィック量の情報を送信データ処理部２２９から取得し、メモリ２０１に保持する。
【０１８１】
次に、フロー３００１において、基地局重複チャネル調整部２２７は、シーケンス６１８で決定した基地局６０２参加の各セルの重複チャネル配分結果において、セルＡがセルＢに対して優先チャネルを貸しているか否かを判定する。ここで、セルＡがセルＢに対して優先チャネルを貸している状態とは、セルＢがセルＡの優先チャネルを重複して利用していることを意味し、重複チャネル量決定テーブル２１３の重複チャネル量の値が正の値を指し示していることを表す。
【０１８２】
セルＡがセルＢに対して、優先チャネルを貸している場合(フロー３００１のＹｅｓ)、フロー３００２において、重複チャネル調整部２２７は、セルＡとセルＢのスループットが重複チャネルを変更する前と比べて向上したか否かを判定する。ここでスループットとは、セルＡのエッジＸ近傍に滞在する移動体端末とセルＢのエッジＸ近傍に滞在する移動体端末の合計スループットであり、基地局６０２における送信データ処理部２２９において、当該移動体端末に対して送信するトラフィックの量である。
【０１８３】
セルＡとセルＢのスループットが向上した場合(フロー３００２のＹｅｓ)、重複チャネル調整部２２７は、フロー３００４において、セルＡのセルＢに対する重複チャネル量を上昇させる。ここで、セルＡの重複チャネル量の上昇値は、例えば、図１１の重複チャネル量決定テーブル２１３における、重複チャネル量１１０２の値を、一行下げたマスに格納されている値を、新たなセルＡの重複チャネル量とすることで決定する。
【０１８４】
セルＡとセルＢのスループットが向上しなかった場合(フロー３００２のＮｏ、重複チャネル調整部２２７は、フロー３００５において、セルＡのセルＢに対する重複チャネル量を減少させる。ここで、セルＡの重複チャネル量の減少値は、例えば、図１１の重複チャネル量決定テーブル２１３における、重複チャネル量１１０２の値を、一行上げたマスに格納されている値を、新たなセルＡの重複チャネル量とすることで決定する。
【０１８５】
また、セルＡがセルＢに対して、優先チャネルを貸していない場合(フロー３００１のＮｏ)、重複チャネル調整部は、フロー３００３において、セルＡとセルＢのスループットが重複チャネルを変更する前と比べて向上したか否かを判定する。
【０１８６】
セルＡとセルＢのスループットが向上した場合(フロー３００３のＹｅｓ)、重複チャネル調整部２２７は、フロー３００６において、セルＡのセルＢに対する重複チャネル量を減少させる。ここで、セルＡの重複チャネル量の減少値は、例えば、図１１の重複チャネル量決定テーブル２１３における、重複チャネル量１１０２の値を、一行下げたマスに格納されている値を、新たなセルＡの重複チャネル量とすることで決定する。
【０１８７】
また、セルＡとセルＢのスループットが減少した場合(フロー３００３のＮｏ)、重複チャネル調整部２２７は、フロー３００６において、セルＡのセルＢに対する重複チャネル量を上昇させる。ここで、セルＡの重複チャネル量の上昇値は、例えば、図１１の重複チャネル量決定テーブル２１３における、重複チャネル量１１０２の値を、一行上げたマスに格納されている値を、新たなセルＡの重複チャネル量とすることで決定する。
【０１８８】
次に、フロー３００８において、重複チャネル調整部２２７は、変更した各セルの重複チャネル量に基づいて、基地局６０２傘下の各移動体端末に対してスケジューリングおよび下り通信を行う。ここで、移動体端末に対するスケジューリングは、シーケンス６１９と同様の方法にて行う。
【０１８９】
また、フロー３００９において、重複チャネル調整部２２７は、フロー３００８で基地局６０２傘下の各移動体端末に対して送信したトラフィック量の情報を、送信データ処理部２２９から取得し、メモリ２０１に保持する。
【０１９０】
その後、フロー３０１０において、重複チャネル調整部２２７は、セルの重複チャネル量の増加と減少を交互に、所定の回数繰り返したか否かを判定する。セルの重複チャネル量の増加と減少を交互に所定の回数繰り返した場合(フロー３０１０のＹｅｓ)、重複チャネル調整部２２７は、重複チャネル量の調整処理を終了する。セルの重複チャネル量の増加と減少を交互に所定の回数繰り返していない場合(フロー３０１０のＮｏ)、重複チャネル調整部２２７は再びフロー３００１を行う。３０１０でＹｅｓの判断基準となる所定の回数はあらかじめ設定した値を用いる。
【０１９１】
シーケンス６２１において、重複チャネル量の調整を行うことで、基地局６０２におけるエッジ近傍に滞在する移動体端末の数、トラフィック量、バッファ量の偏りに対する、重複チャネル量の値を最適化することが可能となる。例えば、シーケンス６１８の各セルの重複チャネルを決定する第１の方法において、エッジ近傍に滞在する移動体端末数の比率α１１０１の値が１．０であり、セルＡのセルＢに対する重複チャネル量１１０２が１０％となり、その結果、セルＡおよびセルＢのエッジＸ近傍に滞在する移動体端末のスループットが減少してしまう場合、当該移動体端末群のスループットを向上させるような、新たな重複チャネル量を設定することができる。また、シーケンス６１８の結果、セルＡおよびセルＢのエッジＸ近傍に滞在する移動体端末のスループットが増加した場合においても、当該移動体端末群のスループットをより向上させるような、新たな重複チャネル量を設定することができる。
【０１９２】
次に、図３１のシーケンス図を用いて、基地局が自身と通信している移動体端末から報告される通信品質情報に応じて、優先チャネルおよび重複チャネルを制御する第２の方法について説明する。
【０１９３】
図３１において、基地局３１０２は、図６の例と同じセル構成、エッジ構成であるものとし、基地局６０２傘下の各セルの周波数帯域は同一であるものとする。
【０１９４】
基地局が自身と通信している移動体端末から報告される通信品質情報に応じて、優先チャネルおよび重複チャネルを制御する第１の方法では、セルの優先チャネル量決定の後、優先チャネルの位置決定、セルの重複チャネル量決定を行ったが、基地局が自身と通信している移動体端末から報告される通信品質情報に応じて、優先チャネルおよび重複チャネルを制御する第２の方法では、セルの重複チャネル量決定の後、セルの優先チャネル量決定、優先チャネルの位置決定を行う。
【０１９５】
基地局が自身と通信している移動体端末から報告される通信品質情報に応じて、優先チャネルおよび重複チャネルを制御する第２の方法では、シーケンス３１１６において、基地局３１０２が、重複チャネル決定部２２５で、移動体端末情報管理テーブル２１１と、重複チャネル量決定テーブル３１１３の情報をもとに、基地局３１０２傘下の各セルの重複チャネルを決定する。その後、シーケンス３１１７において、基地局３１０２が、優先チャネル量決定テーブル作成部２２３で、移動体端末情報管理テーブル２１１を参照し、各セルの優先チャネル量を決定するための情報を、優先チャネル量決定テーブル２１２に格納する。その後、シーケンス３１１８において、基地局３１０２が、優先チャネル位置決定部２２４で、各セルの優先チャネルの周波数を決定する。その後、シーケンス３１１６で決定した各セルの重複チャネル量と、シーケンス３１１７およびシーケンス３１１８で決定した各セルの優先チャネルおよび優先チャネル位置から、各セルが保有する優先チャネルと非優先チャネルが決定される。その後、シーケンス３１１９において、移動体端末３２０１に対してスケジューリングを実施する。その後、シーケンス３２２２において、前記スケジューリング結果に基づいて、基地局３２０２は移動体端末３２０１に対して下り通信を行う。シーケンス３１１１−３１１５の処理は、図６で説明した、シーケンス６１１−６１５と同様であり、また、シーケンス３１１７および３１１８の処理は、図６のシーケンス６１６および６１７と同様である。その後行う、重複チャネル量調整３２２１の処理は、図６で説明した重複チャネル量調整６２１と同様である。
【０１９６】
シーケンス３１１６において、重複チャネル量を決定する方法について、図３４〜３６を用いて説明する。図３４は、第４の方法を用いた重複チャネル量決定テーブル２１３の例である。図３４の例において、重複チャネル量テーブル２１４は、エッジ近傍に滞在する移動体端末数の比率３４０１、重複チャネル量の比率３４０２および重複チャネル量３４０３を保持する。重複チャネルの比率３４０２は、基地局３１０２のエッジＺ５４１、エッジ５４２、エッジ５４３の夫々のエッジ近傍に滞在している各セルの移動体端末の比率に応じた値が格納されている。また、重複チャネル量３４０３は、重複チャネルの比率３４０２に、基地局３１０２のシステム帯域幅を乗算した値が格納されている。図３４の例では、システム帯域幅が２０ＭＨｚであるものとして算出された値が格納されている。前記のとおり、重複チャネル量決定テーブル２１４に格納されている各値は、あらかじめ設定されているものとする。
【０１９７】
まず、基地局３１０２は、シーケンス３１１５で移動体端末情報管理テーブル作成部２２２が作成した移動体端末情報管理テーブル２１１と重複チャネル量決定テーブル２１３に格納されている情報をもとに、重複チャネル決定部２２５が基地局３１０２傘下の各セルのエッジＸ５４１近傍に滞在する移動体端末の比率と、各セルのエッジＹ５４２近傍に滞在する移動体端末の比率と、各セルのエッジＺ５４３近傍に滞在する移動体端末の比率を計算する。このとき計算に用いる数式は、数式（３７）〜（３９）を用いる。
【０１９８】
その後、基地局６０２は、前記各セルのエッジ近傍に滞在する移動体端末の比率の計算結果を、重複チャネル量決定テーブル２１３のエッジ近傍に滞在する移動体端末数の比率３４０１と照合し、該当する値が格納されている行における、重複チャネル量３４０３に格納されている値を重複チャネル量として、決定する。
【０１９９】
ここで、重複チャネル量の値が負の値を示しているとき、エッジ近傍に滞在する移動体端末の比率の計算式の、右辺における分母の移動体端末が接続しているセルが、エッジ近傍に滞在する移動体端末の比率の計算式の、右辺における分子の移動体端末が接続しているセルの優先チャネルを、重複チャネル量決定テーブル２１４の列３４０３が示している重複チャネル量だけ、重複して利用できることを示す。また、重複チャネル量の値が正の値を示しているとき、エッジ近傍に滞在する移動体端末の比率の計算式の、右辺における分子の移動体端末が接続しているセルが、エッジ近傍に滞在する移動体端末の比率の計算式の、右辺における分母の移動体端末が接続しているセルの優先チャネルを、重複チャネル量決定テーブル２１４の列３４０３が示している重複チャネル量だけ、重複して利用できることを示す。
【０２００】
また、各セルのエッジ近傍に滞在する移動体端末の比率を計算する際に用いる数式は、エッジ近傍に滞在する移動体端末の合計トラフィック量の比率を計算する数式（４０）〜（４２）でも、エッジ近傍に滞在する移動体端末の合計バッファ量の比率を計算する数式（４３）〜（４５）でもよく、数式（４０）〜（４２）を用いる場合は、重複チャネル量決定テーブルは図３５の例で示され、数式（４３）〜（４５）を用いる場合は、重複チャネル量決定テーブルは図３６の例で示される。
【０２０１】
図３７に、基地局３１０２が、シーケンス３１１６において決定した基地局６０２傘下のセルの重複チャネルの結果の例を示す。
【０２０２】
図３７において、セルＡの優先チャネル３７０１、セルＢの優先チャネル３７０２およびセルＣの優先チャネル３７０３は、夫々のセルの優先チャネルのうち、隣接セルに対して重複チャネルとして使用を許す帯域を示している。また、セルＡの重複チャネル３７１１、セルＢの重複チャネル３７１２およびセルＣの重複チャネル３７１３は、夫々のセルが隣接セルの優先チャネルを重複チャネルとして使用できる帯域を示している。
【０２０３】
図３７の表において、例えば、セルＣの重複チャネル３７１３とセルＡの優先チャネル３７０１が示すセル３７１４に４ＭＨｚの値が示されている場合、セルＣはセルＡの優先チャネルのうち、４ＭＨｚをセルＣの重複チャネルとして利用できることを示している。また、セルＣの重複チャネル３７１３とセルＢの優先チャネル３７０２が示すセル３７１５に−２ＭＨｚの値が示されている場合、セルＣはセルＢの優先チャネルを、セルＣの重複チャネルとして利用できないことを示している。
【０２０４】
次に、図３２のシーケンス図を用いて、基地局が自身と通信している移動体端末から報告される通信品質情報に応じて、優先チャネルおよび重複チャネルを制御する第３の方法について説明する。なお、前記第３の方法では、本発明を実施するための干渉制御方式はコアネットワーク装置内にあるものとする。
【０２０５】
図３２において、基地局３２０２は、図６の例と同じセル構成、エッジ構成であるものとし、基地局６０２傘下の各セルの周波数帯域は同一であるものとする。
【０２０６】
まず、シーケンス３２１１において、基地局３２０２と移動体端末３２０１が通信を開始する。その後、シーケンス３２１２において、コアネットワーク装置３２０３は、基地局３２０２傘下のセルに接続している全移動体端末に対して通信品質報告要求をする。シーケンス３２１３において、移動体端末３２０１は、通信品質測定部３１１を用いて、基地局３２０２傘下の各セルの通信品質を測定し、基地局３２０２に対して報告する。その後、シーケンス３２１４において、基地局３２０３は、コアネットワーク装置３２０３に対して、移動体端末３２０１が測定した各セルの通信品質をコアネットワーク装置３２０３に報告する。その後、シーケンス３２１５〜３２１９において、図６で説明したシーケンス６１４〜６１８と同様の処理を行う。その後、シーケンス３２２０において、コアネットワーク装置３２０３は、基地局３２０２に対して、シーケンス３２１７で決定した基地局３２０２傘下の各セルの優先チャネル量、シーケンス３２１８で決定した基地局３２０２傘下の各セルの優先チャネルの周波数、およびシーケンス３２１９で決定した基地局３２０２傘下の各セルの重複チャネルの情報を基地局３２０２に対して通知する。その後、シーケンス３２２１において、基地局３２０２は、シーケンス３２１７で決定した基地局３２０２傘下の各セルの優先チャネル量、シーケンス３２１８で決定した基地局３２０２傘下の各セルの優先チャネルの周波数、およびシーケンス３２１９で決定した基地局３２０２傘下の各セルの重複チャネルに基づいて、基地局３２０２傘下の各セルの優先チャネルと重複チャネルを設定し、移動体端末３２０１に対してスケジューリングを実施する。その後、シーケンス３２２２において、前記スケジューリング結果に基づいて、基地局３２０２は移動体端末３２０１に対して下り通信を行う。その後行う、重複チャネル量調整３２２３の処理は、図６で説明した重複チャネル量調整６２１と同様である。
【０２０７】
次に、図４のシーケンス図を用いて、基地局が自身と通信している移動体端末から報告される通信品質情報に応じて、優先チャネルおよび重複チャネルを制御する第４の方法について説明する。なお、上記第４の方法では、本発明を実施するための干渉制御方式はコアネットワーク装置内にあるものとする。
【０２０８】
図４において、基地局４０２は、図６の例と同じセル構成、エッジ構成であるものとし、基地局６０２傘下の各セルの周波数帯域は同一であるものとする。
【０２０９】
基地局が自身と通信している移動体端末から報告される通信品質情報に応じて、優先チャネルおよび重複チャネルを制御する第３の方法では、セルの優先チャネル量決定の後、優先チャネルの位置決定、セルの重複チャネル量決定を行ったが、基地局が自身と通信している移動体端末から報告される通信品質情報に応じて、優先チャネルおよび重複チャネルを制御する第４の方法では、セルの重複チャネル量決定の後、セルの優先チャネル量決定、優先チャネルの位置決定を行う。
【０２１０】
基地局が自身と通信している移動体端末から報告される通信品質情報に応じて、優先チャネルおよび重複チャネルを制御する第４の方法では、シーケンス４１６において、基地局４０２が、重複チャネル決定部２２５で、移動体端末情報管理テーブル２１１と、重複チャネル量決定テーブル２１３の情報をもとに、基地局４０２傘下の各セルの重複チャネルを決定する。その後、シーケンス４１７において、基地局４０２が、優先チャネル量決定テーブル作成部２２３で、移動体端末情報管理テーブル２１１を参照し、各セルの優先チャネル量を決定するための情報を、優先チャネル量決定テーブル２１２に格納する。その後、シーケンス４１８において、基地局３１０２が、優先チャネル位置決定部２２４で、各セルの優先チャネルの周波数を決定する。
【０２１１】
ここで、セルの重複チャネル量決定４１６は、図３２のシーケンス図におけるセルの重複チャネル量決定３２１９と同様である。また、セルの優先チャネル量決定４１８は、図３１のシーケンス図におけるセルの優先チャネル量決定３１１７と同様である。また、優先チャネルの位置決定４１９は、図３２のシーケンス図における優先チャネルの位置決定３２１８と同様である。
【０２１２】
以上のように、本実施形態による基地局装置、コアネットワーク装置および無線通信システムでは、セル内の各移動体端末に、基地局からの下り信号の通信品質情報を報告させることにより各移動体端末のセル内での位置を推定し、隣接するセル間でのセル境界近傍に滞在する移動体端末数の分布や当該移動体端末のトラフィック量、または当該移動体端末に対する下りデータのバッファ量、の偏りを監視し、セル境界近傍に滞在する移動体端末が多ければ、当該セルにてセル境界近傍に滞在する移動体端末に対して割り当てる周波数を多く割り振り、セル境界近傍に滞在する移動体端末が少なければ当該セルの、セル境界近傍に滞在する移動体端末に対して割り当て可能な周波数を少なく割り振ることで、隣接するセル間全体でシステムが保有するセル境界近傍に滞在する移動体端末に割り当て可能な周波数を効率的に活用する。
【０２１３】
また、隣接するセル間のセル境界近傍に滞在する移動体端末の数を比較し、あるセルに隣接するセルにおける、当該移動体端末の少ないセル境界近傍に滞在する移動体端末に優先的に割り当てる周波数を、あるセルのセル境界近傍の当該移動体端末に対して重複割り当てを許すことで、セル境界近傍に滞在する移動体端末が使用可能な干渉の影響の低い周波数を効率的に用い、セル境界近傍に滞在する移動体端末の干渉低減、およびセルスループット向上を図ることができる。
【０２１４】
本実施形態によれば、隣接するセル間で、セル境界近傍に滞在する移動体端末の偏りに応じて、当該移動体端末に対して優先的に割り当てる周波数を制御することに加え、当該周波数がセル境界近傍で使用されていないセルに、隣接するセルのセル境界に滞在する移動体端末に対して重複割り当てを許すことで、当該周波数の利用効率を向上させ、セル境界近傍に滞在する移動体端末に対する隣接セルからの干渉を低減しつつ、セルスループットの向上を図ることができる。
【符号の説明】
【０２１５】
１０１、１０２、１０３  基地局
１１１、１１２、１１３、１１４、１１５、１１６、１１７、１１８、１１９  セル
１２１  ネットワーク
１２２  コアネットワーク装置
１３１、１３２、１３３、１３４、１３５、１３６、１３７、１３８、１３９  移動体端末
２０１  基地局装置のメモリ
２０２  基地局装置のＣＰＵ／ＤＳＰ
２０３  基地局装置の無線インタフェース
２０４  基地局装置の論理回路
２０５  基地局装置の有線インタフェース
２１１  基地局装置の移動体端末情報管理テーブル
２１２  基地局装置の優先チャネル量決定テーブル
２１３  基地局装置の重複チャネル量決定テーブル
２１４  基地局装置の送信データバッファ
２２１  基地局装置の移動体端末滞在位置判定部
２２２  基地局装置の移動体端末情報管理テーブル作成部
２２３  基地局装置の優先チャネル量決定テーブル作成部
２２４  基地局装置の優先チャネル位置決定部
２２５  基地局装置の重複チャネル決定部
２２６  基地局装置のスケジューリング機能部
２２７  基地局装置の重複チャネル量調整部
２２８  基地局装置の送信電力制御部
２２９  基地局装置の送信データ処理部
２３０  基地局装置の受信データ処理部
３０１  移動体端末装置のメモリ
３０２  移動体端末装置のＣＰＵ／ＤＳＰ
３０３  移動体端末装置の無線インタフェース
３０４  移動体端末装置の論理回路
３１１  移動体端末装置の通信品質測定部
３１２  移動体端末装置の送信データ処理部
３１３  移動体端末装置の受信データ処理部
２５０１  コアネットワーク装置のメモリ
２５０２  コアネットワーク装置のＣＰＵ／ＤＳＰ
２５０３  コアネットワーク装置の論理回路
２５０４  コアネットワーク装置の有線インタフェース
２５１１  コアネットワーク装置の移動体端末情報管理テーブル
２５１２  コアネットワーク装置の優先チャネル量決定テーブル
２５１３  コアネットワーク装置の重複チャネル量決定テーブル
２５２１  コアネットワーク装置の移動体端末滞在位置判定部
２５２２  コアネットワーク装置の移動体情報管理テーブル作成部
２５２３  コアネットワーク装置の優先チャネル量決定テーブル作成部
２５２４  コアネットワーク装置の優先チャネル位置決定部
２５２５  コアネットワーク装置の重複チャネル決定部
２５２６  コアネットワーク装置の重複チャネル量調整部
２５２７  コアネットワーク装置の送信データ処理部
２５２８  コアネットワーク装置の受信データ処理部
【図１】
2015026970.tif 000048
【図２】
2015026970.tif 000049
【図３】
2015026970.tif 000050
【図４】
2015026970.tif 000051
【図５】
2015026970.tif 000052
【図６】
2015026970.tif 000053
【図７】
2015026970.tif 000054
【図８】
2015026970.tif 000055
【図９】
2015026970.tif 000056
【図１０】
2015026970.tif 000057
【図１１】
2015026970.tif 000058
【図１２】
2015026970.tif 000059
【図１３】
2015026970.tif 000060
【図１４】
2015026970.tif 000061
【図１５】
2015026970.tif 000062
【図１６】
2015026970.tif 000063
【図１７】
2015026970.tif 000064
【図１８】
2015026970.tif 000065
【図１９】
2015026970.tif 000066
【図２０】
2015026970.tif 000067
【図２１】
2015026970.tif 000068
【図２２】
2015026970.tif 000069
【図２３】
2015026970.tif 000070
【図２４】
2015026970.tif 000071
【図２５】
2015026970.tif 000072
【図２６】
2015026970.tif 000073
【図２７】
2015026970.tif 000074
【図２８】
2015026970.tif 000075
【図２９】
2015026970.tif 000076
【図３０】
2015026970.tif 000077
【図３１】
2015026970.tif 000078
【図３２】
2015026970.tif 000079
【図３３】
2015026970.tif 000080
【図３４】
2015026970.tif 000081
【図３５】
2015026970.tif 000082
【図３６】
2015026970.tif 000083
【図３７】
2015026970.tif 000084